(57)【要約】 【課題】対象地域を効率よく区割りするためのブリック作成支援方法及びブリック作成支援装置を提供する。【解決手段】コンピュータを用いて区割り対象地域を所定の医療関連施設の数が所定範囲に収まるように複数のブリックに区割りする作業を支援するブリック作成支援方法において、予め区割り対象地域を地図データに基づいて区割りし、区割りしたエリアをブリックとして初期設定しデータ格納部に格納しておき、区割り対象地域のブリックの編集要求に応じて、データ格納部からデータを読み出して地図画面上にブリックを重ねたブリック編集画面を作成し、当該ブリック編集画面には各ブリックの医療関連施設数が予め定めた適合範囲に入っているかどうかを判定した判定結果の情報を付加して表示手段に表示し、ブリック編集画面上で、ブリックの結合，分割を行うことによりブリックのエリアを修正することを特徴とする。【選択図】  図１
2006091199.tif 000002
【特許請求の範囲】
【請求項１】
コンピュータを用いて区割り対象地域を所定の医療関連施設の数が所定範囲に収まるように複数のブリックに区割りする作業を支援するブリック作成支援方法において、
予め区割り対象地域を地図データに基づいて自動的に区割りし、区割りしたエリアをブリックとしてデータ格納部に格納しておき、
区割り対象地域のブリックの編集要求に応じて、データ格納部からデータを読み出して地図画面上にブリックを重ねたブリック編集画面を作成し、当該ブリック編集画面には各ブリックの医療関連施設数が予め定めた適合範囲に入っているかどうかを判定した判定結果の情報を付加して表示手段に表示し、
ブリック編集画面上で、ブリックの結合，分割をしてブリック内の医療関連施設数が所定範囲に収まるように修正可能とすることを特徴とするブリック作成支援方法。
【請求項２】
区割り対象地域の自動的な区割りは、予め定めた行政界レベルで自動的に区割りすることを特徴とする請求項１に記載のブリック作成支援方法。
【請求項３】
ブリックの結合は、ブリック編集画面上での施設数不足のブリックの選択と結合開始要求に応じて当該ブリックに隣接する結合候補となるブリックを表示し、施設数不足のブリックと結合候補ブリックとの結合確定要求に応じてブリックを結合してデータ格納部のブリックのデータを修正することを特徴とする請求項１または２に記載のブリック作成支援方法。
【請求項４】
結合候補となるブリックを表示する際に、結合した場合の医療関連施設数および医療関連施設数の判定結果を表示することを特徴とする請求項３に記載のブリック作成支援方法。
【請求項５】
ブリックの分割は、ブリック編集画面上での施設数過分のブリックの選択と分割開始要求に応じて分割ラインを入力してブリックを分割し、分割確定要求に応じてデータ格納部のブリックのデータを修正することを特徴とする請求項１乃至４のいずれかの項に記載のブリックの作成支援方法。
【請求項６】
分割ラインを入力すると、分割したエリアの情報を入力するためのダイアログを作成して表示することを特徴とする請求項５に記載のブリック作成支援方法。
【請求項７】
背景画像として分割する際の補助となる地図上の分割補助画像を表示することを特徴とする請求項５または６に記載のブリック作成支援方法。
【請求項８】
医療関連施設は、病院，開業医および薬局等のうちの少なくとも一つである請求項１乃至７のいずれかの項に記載のブリック作成支援方法。
【請求項９】
コンピュータを用いて区割り対象地域を所定の医療関連施設の数が所定範囲に収まるように複数のブリックに区割りする作業を支援するブリック作成支援装置において、
予め区割り対象地域を地図データに基づいて自動的に区割りし、区割りしたエリアをブリックとしてデータ格納部に格納するブリック自動作成手段と、
ブリック内の医療関連施設数の適合範囲を設定する適合条件設定手段と、
各ブリックの医療関連施設数が前記適合条件設定手段により設定された適合範囲入っているか、過分か、不足かの適合状態を判定する判定手段と、
区割り対象地域のブリックの編集要求に応じて、データ格納部に格納されたデータを読み出し行政界にブリックのエリアを重ねた地図画面に各ブリックについての適合状態の情報を付加したブリック編集画面を作成して表示手段に表示するブリック編集画面作成手段とを備えていることを特徴とするブリック作成支援装置。
【請求項１０】
ブリック自動作成手段は区割り対象地域を地図データに基づいて予め定めた行政界レベルで自動的に区割りすることを特徴とする請求項９に記載のブリック作成支援装置。
【請求項１１】
ブリック編集画面におけるブリック適合状態の情報は適合状態に応じて異なる識別パターンをブリックのエリアに表示するパターン表示である請求項９または１０に記載のブリック作成支援装置。
【請求項１２】
施設数不足のブリックの選択と結合開始要求に応じて当該ブリックに隣接する結合候補となるブリックを表示すると共に結合した場合の医療関連施設数および前記判定手段による適合判定結果を表示し、施設数不足のブリックと結合候補ブリックとの結合確定要求に応じてブリックを結合し、データ格納部のブリックのデータを修正するブリック結合手段を備えている請求項９乃至１１のいずれかの項に記載のブリック作成支援装置。
【請求項１３】
結合候補ブリックの表示は、選択した不足のブリックから隣接する周辺のブリックに向けて表示される矢印である請求項１２に記載のブリック作成支援装置。
【請求項１４】
施設数が過分状態のブリックの選択と分割開始要求に応じて分割ラインを入力してブリックを分割し、分割確定要求に応じてデータ格納部のブリックの情報を修正するブリック分割手段を備えている請求項９乃至１３のいずれかの項に記載のブリック作成支援装置。
【請求項１５】
ブリック分割手段は、過分のブリックに分割ラインを入力すると、表示画面上に分割したエリアの識別情報を入力するためのダイアログを作成して表示することを特徴とする請求項１４に記載のブリック作成支援装置。
【請求項１６】
ブリック分割手段は、背景画像として分割する際の補助となる地図上の分割補助画像を表示することを特徴とする請求項１４または１５に記載のブリック作成支援装置。
【請求項１７】
予め区割り対象地域を地図データに基づいて区割りし、区割りしたエリアをブリックとして初期設定しデータ格納部に格納しておき、
区割り対象地域のブリックの編集要求に応じて、データ格納部に格納されたデータを読み出し行政界にブリックのエリアを重ねた地図画面に各ブリックについての適合状態の情報を付加したブリック編集画面を作成して表示手段に表示する手順をコンピュータに実行させるためのプログラム。
【請求項１８】
ブリック編集画面におけるブリック適合状態の情報は適合状態に応じて異なる識別パターンをブリックのエリアに表示するパターン表示である請求項１７に記載のプログラム。
【請求項１９】
請求項１７または１８のプログラムに加え、さらに、施設数不足のブリックの選択と結合開始要求に応じて当該ブリックに隣接する結合候補となるブリックを表示すると共に結合した場合の医療関連施設数および判定手段による適合判定を表示し、
施設数不足のブリックと結合候補ブリックとの結合確定要求に応じてブリックを結合し、データ格納部のブリックのデータを修正する手順を備えたコンピュータに実行させるためのプログラム。
【請求項２０】
結合候補ブリックの表示は、選択した不足のブリックから隣接する周辺のブリックに向けて表示される矢印である請求項１９に記載のプログラム。
【請求項２１】
請求項１７または１８のプログラムに加え、施設数が過分状態のブリックの選択と分割開始要求に応じて分割ラインを入力してブリックを分割し、分割確定要求に応じてデータ格納部のブリックの情報を修正する手順を備えたコンピュータに実行させるためのプログラム。
【請求項２２】
過分のブリックに分割ラインを入力すると、表示画面上に分割したエリアの識別情報を入力するためのダイアログを作成して表示すること請求項２１に記載のプログラム。
【請求項２３】
分割ラインを入力する際に、背景画像として分割補助画像を表示することを特徴とする請求項２１に記載のプログラム。
【請求項２４】
請求項１７乃至２３のいずれかの項に記載のプログラムを記録したコンピュータ読取可能な記録媒体。
【請求項２５】
所定の行政界レベルでの区割りエリアを基礎単位エリアとし、基礎単位エリアを結合，分割することにより構成されるブリックの区割り地図データであって、開業医と薬局等の数が共にそれぞれの適合範囲に入っているか、開業医と薬局等のいずれか一方が適合範囲に入っており他方がゼロであることを適合条件として、開業医のＧＰブリックであり薬局等のＰＯブリックでもある共有のブリックに区割りしたことを特徴とする区割り地図データ。
【請求項２６】
開業医または薬局等の施設数が適合範囲の最低数の倍以上あるＧＰブリックまたはＰＯブリックについて細分化したことを特徴とする請求項２５に記載の区割り地図データ。
【請求項２７】
病院の数が予め定めた適合範囲に入るように、請求項２５に記載のＧＰブリックでありＰＯブリックでもある共有のブリックを結合して構成されたことを特徴とするＨＰブリックの区割り地図データ。
【請求項２８】
コンピュータを用いて区割り対象地域について開業医および薬局等の数が所定範囲に収まるように複数のブリックに区割りする作業を支援するブリック作成支援方法において、
開業医と薬局等の数が共に設定した範囲の下限値以上であり、開業医と薬局等の双方の施設又はどちらか一方の施設が最大の数の範囲であることを条件として、コアブリックに区割りしてデータ格納部に格納しておき、
細分化要求に応じてデータ格納部からコアブリックの地図データおよび開業医および薬局等の施設数のデータを読み出して地図画面上にコアブリックを重ねた細分化ブリック選択画面を作成し、当該細分化ブリック選択画面には開業医と薬局等の数において、さらに細分化可能か否かについての判定結果の情報を付加して表示手段に表示し、
細分化対象のコアブリックの選択と開業医と薬局等のうちの一方の作業モードの指定に応じて、指定されたＧＰブリックまたはＰＯブリックの細分化を行うための細分化編集画面を作成し、当該細分化編集画面にはＧＰブリックまたはＰＯブリックを所定の行政界レベルのエリアに細分化した画像と、各細分化エリアについて開業医または薬局等の数が適合範囲に入っているかどうかを判定した判定結果の情報を表示し、
細分化エリアの結合，分割によってＧＰブリックまたはＰＯブリックを適合条件に適合するように細分化処理可能としたことを特徴とするブリック作成支援方法。
【請求項２９】
ＧＰブリックおよびＰＯブリックについての所定の行政界レベルのエリアへの細分化処理は細分化編集前に自動的に行うことを特徴とする請求項２７に記載のブリック作成支援方法。
【請求項３０】
コアブリックの範囲内で編集された開業医と薬局等について、個別のブリックが互いに部分的に重複しないかどうかを判定することを特徴とする請求項２７に記載のブリック作成支援方法。
【請求項３１】
区割り対象地域を、開業医と薬局等の数が共に設定した範囲の下限値以上であり、開業医と薬局等の双方の施設又はどちらか一方の施設が最大の数の範囲であることを条件としてコアブリックに区割りした区割りデータについて、コアブリック内の開業医または薬局等の個別の施設数において、さらに細分化可能であればＧＰブリックおよびＰＯブリックを区割りする作業を支援するブリック作成支援装置であって、
ＧＰブリックまたはＰＯブリックを細分化したエリア内の施設数が適合範囲に入っているか、過分か、不足かの適合状態を判定する判定手段と、
細分化要求に応じてデータ格納部からコアブリックの地図データおよび開業医および薬局等の施設数のデータを読み出して地図画面上にコアブリックを重ねた細分化ブリック選択画面を作成し、当該細分化ブリック選択画面には開業医と薬局等の数において、さらに細分化可能か否かについての判定結果の情報を付加して表示手段に表示する細分化ブリック選択画面作成手段と、
細分化対象のコアブリックの選択と開業医と薬局等のうちの一方の作業モードの指定に応じて、指定されたＧＰブリックまたはＰＯブリックの細分化を行うための細分化編集画面を作成し、当該細分化編集画面にはＧＰブリックまたはＰＯブリックを所定の行政界レベルのエリアに細分化した画像と、各細分化エリアについて開業医または薬局等の数が適合範囲に入っているかどうかを判定した判定結果の情報を表示する細分化編集画面作成手段と、を備えていることを特徴とするブリック作成支援装置。
【請求項３２】
ＧＰブリックおよびＰＯブリックを所定の行政界レベルの基礎単位エリアへ細分化する細分化手段を備えていることを特徴とする請求項３１に記載のブリック作成支援装置。
【請求項３３】
コアブリック内で細分化したＧＰブリックとＰＯブリックが互いに部分的に重複しないかどうかを判定する判定手段を備えていることを特徴とする請求項３１に記載のブリック作成支援装置。
【請求項３４】
区割り対象地域について、開業医と薬局等の数が共に設定した範囲の下限値以上であり、開業医と薬局等の双方の施設又はどちらか一方の施設が最大の数の範囲であることを条件として開業医のＧＰブリックであり薬局等のＰＯブリックでもある共有のブリックに区割りし、当該共有のブリックに基づいて病院についてのＨＰブリックを作成する作業を支援するブリックの作成支援方法において、
予めＧＰブリックでありＰＯブリックでもある共有のブリックを所定の行政界レベルで結合してＨＰブリックを自動的に作成してデータ格納部に格納しておき、
データ格納部からデータを読み出して地図画面上にＨＰブリックを重ねたＨＰブリック編集画面を作成し、当該ＨＰブリック編集画面には各ブリックの病院数が予め定めた適合範囲に入っているかどうかを判定した判定結果の情報を付加して表示手段に表示し、
ＨＰブリック編集画面上で、ブリックの結合をしてブリック内の病院数が所定範囲に収まるように修正可能とすることを特徴とするブリック作成支援方法。
【請求項３５】
区割り対象地域について、開業医と薬局等の数が共に設定した範囲の下限値以上であり、開業医と薬局等の双方の施設又はどちらか一方の施設が最大の数の範囲であることを条件として、開業医のＧＰブリックであり薬局等のＰＯブリックでもある共有のブリックに区割りし、当該共有のブリックに基づいて病院についてのＨＰブリックを作成する作業を支援するブリックの作成支援装置において、
予めＧＰブリックでありＰＯブリックでもある共有のブリックを所定の行政界レベルで結合してＨＰブリックを自動的に作成してデータ格納部に格納するＨＰブリック自動作成手段と、
ＨＰブリック内の病院数の適合範囲を設定する適合条件設定手段と、
各ＨＰブリックの病院数が前記適合条件設定手段により設定された適合範囲に入っているか、過分か、不足かの適合状態を判定してデータ格納部に格納する判定手段と、
ＨＰブリックの編集要求に応じて、データ格納部からデータを読み出して地図画面上にＨＰブリックを重ねたＨＰブリック編集画面を作成し、当該ＨＰブリック編集画面には各ブリックの病院数が予め定めた適合範囲に入っているかどうかを判定した判定結果の情報を付加して表示手段に表示するＨＰブリック編集画面作成手段と、を備えていることを特徴とするブリック作成支援装置。
【発明の詳細な説明】
【技術分野】
【０００１】
本発明は、ある地域を所定の医療関連施設の数が所定範囲に収まるように区割りしてブリックを作成するブリック作成支援方法及びブリック作成支援装置、並びにプログラムおよびプログラムを記録した記録媒体に関する。
【背景技術】
【０００２】
従来から、本出願人は、地域の開業医や薬局等、さらに病院等の医療関連施設に着目し、区割り対象地域を医療関連施設の数が所定範囲に収まるように複数のブリックに区割りする作業を行ってきたが、それらは全て手作業であった。
【０００３】
しかし、区割り対象地域が狭い範囲であればよいが、全国にまたがる広範な地域の場合、膨大な労力と時間を費やしていた。
地域の複数のエリアに区割りする方法としては、たとえば特許文献１，２等のように種々の方法が提案されているが、所定の施設数が所定範囲に収まるように区割りする方法については見当たらない。
【特許文献１】特開２００４−１９１４６６
【特許文献２】特開２００４−１８４５６３
【発明の開示】
【発明が解決しようとする課題】
【０００４】
本発明は上記した従来技術の課題を解決するためになされたもので、その目的とするところは、対象地域を効率よく区割りするためのブリック作成支援方法及びブリック作成支援装置、並びにプログラムおよびプログラムを記録した記録媒体を提供することにある。
【課題を解決するための手段】
【０００５】
上記目的を達成するために、請求項１に係る発明は、コンピュータを用いて区割り対象地域を所定の医療関連施設の数が所定範囲に収まるように複数のブリックに区割りする作業を支援するブリック作成支援方法において、
予め区割り対象地域を地図データに基づいて区割りし、区割りしたエリアをブリックとして初期設定しデータ格納部に格納しておき、区割り対象地域のブリックの編集要求に応じてデータ格納部に格納されたデータを読み出し、行政界にブリックのエリアを重ねた地図画面に各ブリックについての適合状態の情報を付加したブリック編集画面を作成して表示手段に表示し、
ブリック編集画面上で、ブリックの結合，分割してブリック内の医療関連施設数が所定範囲に収まるように修正可能とすることを特徴とする。
【０００６】
請求項２に係る発明は、区割り対象地域の自動的な区割りは、予め定めた行政界レベルで自動的に区割りすることを特徴とする。
【０００７】
請求項３に係る発明は、ブリックの結合は、ブリック編集画面上での施設数不足のブリックの選択と結合開始要求に応じて当該ブリックに隣接する結合候補となるブリックを表示し、施設数不足のブリックと結合候補ブリックとの結合確定要求に応じてブリックを結合してデータ格納部のブリックのデータを修正する。
【０００８】
請求項４に係る発明は、結合候補となるブリックを表示する際に、結合した場合の医療関連施設数および医療関連施設数の判定結果を表示することを特徴とする。
【０００９】
請求項５に係る発明は、ブリックの分割は、ブリック編集画面上での施設数過分のブリックの選択と分割開始要求に応じて分割ラインを入力してブリックを分割し、分割確定要求に応じてデータ格納部のブリックのデータを修正することを特徴とする。
【００１０】
請求項６に係る発明は、分割ラインを入力すると、分割したエリアの情報を入力するためのダイアログを作成して表示することを特徴とする。
【００１１】
請求項７に係る発明は、ブリック分割手段は、背景画像として分割する際の補助となる地図上の分割補助画像を表示することを特徴とする。
【００１２】
請求項８に係る発明は、医療関連施設は、病院，開業医および薬局等のうちの少なくとも一つである。本明細書で「薬局等」とは、薬局，その他を扱う施設を含むものとする。
【００１３】
請求項９に係る発明は、コンピュータを用いて区割り対象地域を所定の医療関連施設の数が所定範囲に収まるように複数のブリックに区割りする作業を支援するブリック作成支援装置において、
予め区割り対象地域を地図データに基づいて自動的に区割りし、区割りしたエリアをブリックとしてデータ格納部に格納するブリック自動作成手段と、
ブリック内の医療関連施設数の適合範囲を設定する適合条件設定手段と、
各ブリックの医療関連施設数が前記適合条件設定手段により設定された適合範囲入っているか、過分か、不足かを判定する判定手段と、
区割り対象地域のブリックの編集要求に応じて、データ格納部に格納されたデータを読み出し行政界にブリックのエリアを重ねた地図画面に各ブリックについての適合状態の情報を付加したブリック編集画面を作成して表示手段に表示するブリック編集画面作成手段とを備えていることを特徴とする。
【００１４】
請求項１０に係る発明は、ブリック作成手段は区割り対象地域を地図データに基づいて予め定めた行政界レベルで自動的に区割りすることを特徴とする。
【００１５】
請求項１１に係る発明は、ブリック編集画面におけるブリック適合状態の表示は適合状態に応じて異なる識別パターンをブリックのエリアに表示するパターン表示である。
【００１６】
請求項１２に係る発明は、施設数不足のブリックの選択と結合開始要求に応じて当該ブリックに隣接する結合候補となるブリックを表示すると共に結合した場合の医療関連施設数および前記判定手段による適合判定結果を表示し、施設数不足のブリックと結合候補ブリックとの結合確定要求に応じてブリックを結合し、データ格納部のブリックのデータを修正するブリック結合手段を備えていることを特徴とする。
【００１７】
請求項１３に係る発明は、結合候補ブリックの表示は、選択した不足のブリックから隣接する周辺のブリックに向けて表示される矢印であることを特徴とする。
【００１８】
請求項１４に係る発明は、施設数が過分状態のブリックの選択と分割開始要求に応じて分割ラインを入力してブリックを分割し、分割確定要求に応じてデータ格納部のブリックの情報を修正するブリック分割手段を備えていることを特徴とする。
【００１９】
請求項１５に係る発明は、ブリック分割手段は、過分のブリックに分割ラインを入力すると、表示画面上に分割したエリアの識別情報を入力するためのダイアログを作成して表示することを特徴とする。
【００２０】
請求項１６に係る発明は、ブリック分割手段は、背景画像として分割する際の補助となる地図上の分割補助画像を表示することを特徴とする。
【００２１】
請求項１７に係るプログラムは、予め区割り対象地域を地図データに基づいて区割りし、区割りしたエリアをブリックとしてデータ格納部に格納しておき、
区割り対象地域のブリックの編集要求に応じて、データ格納部に格納されたデータを読み出し、行政界にブリックのエリアを重ねた地図画面に各ブリックについての適合状態の情報を付加したブリック編集画面を作成して表示手段に表示する手順をコンピュータに実行させることを特徴とする。
【００２２】
請求項１８に係る発明は、ブリック編集画面における適合状態の情報は、適合状態に応じて異なる識別パターンをブリックのエリアに表示するパターン表示であることを特徴とする。
【００２３】
請求項１９に係る発明は、上記プログラムに加え、さらに、施設数不足のブリックの選択と結合開始要求に応じて当該ブリックに隣接する結合候補となるブリックを表示すると共に結合した場合の医療関連施設数および前記判定手段による適合判定結果を表示し、
施設数不足のブリックと結合候補ブリックとの結合確定要求に応じてブリックを結合し、データ格納部のブリックのデータを修正する手順をコンピュータに実行させることを特徴とする。
【００２４】
請求項２０に係る発明は、結合候補ブリックの表示は、選択した不足のブリックから隣接する周辺のブリックに向けて表示される矢印であることを特徴とする。
【００２５】
請求項２１に係る発明は、請求項１７または１８のプログラムに加え、施設数が過分状態のブリックの選択と分割開始要求に応じて分割ラインを入力してブリックを分割し、分割確定要求に応じてデータ格納部のブリックの情報を修正する手順を備えたコンピュータに実行させることを特徴とする。
【００２６】
請求項２２に係る発明は、過分のブリックに分割ラインを入力すると、表示画面上に分割したエリアの識別情報を入力するためのダイアログを作成して表示することを特徴とする。
【００２７】
請求項２３に係る発明は、分割ラインを入力する際に、背景画像として分割補助画像を表示することを特徴とする。
【００２８】
請求項２４に係るコンピュータ読取可能な記録媒体は、請求項１５乃至２１のいずれかの項に記載のプログラムを記録したものである。
【００２９】
請求項２５に係るＧＰブリック及びＰＯブリックの区割り地図データは、所定の行政界レベルでの区割りエリアを基礎単位エリアとし、基礎単位エリアを結合，分割することにより構成されるブリックの区割り地図データであって、開業医と薬局等の数が共に設定した範囲の下限値以上であり、開業医と薬局等の双方の施設又はどちらか一方の施設が最大の数の範囲であることを条件として、開業医のＧＰブリックであり薬局等のＰＯブリックでもある共有のブリックに区割りしたことを特徴とする。
【００３０】
請求項２６に係るＧＰブリック及びＰＯブリックの区割り地図データは、開業医または薬局等の施設数が適合範囲の最低数の倍以上あるＧＰブリックまたはＰＯブリックについて、細分化したことを特徴とする。
【００３１】
請求項２７に係るＨＰブリックの区割り地図データは、病院の数が予め定めた適合範囲に入るように、請求項２５に記載のＧＰブリックでありＰＯブリックである共有のブリックを結合して構成されていることを特徴とする。
【００３２】
請求項２８に記載の発明は、コンピュータを用いて区割り対象地域について開業医および薬局等の数が所定範囲に収まるように複数のブリックに区割りする作業を支援するブリック作成支援方法において、
開業医と薬局等の数が共に設定した範囲の下限値以上であり、開業医と薬局等の双方の施設又はどちらか一方の施設が最大の数の範囲であることを条件として、開業医のＧＰブリックであり薬局等のＰＯブリックでもあるコアブリックに区割りしてデータ格納部に格納しておき、
細分化要求に応じてデータ格納部からコアブリックの地図データおよび開業医および薬局等の施設数のデータを読み出して地図画面上にコアブリックを重ねた細分化ブリック選択画面を作成し、当該細分化ブリック選択画面には開業医と薬局等の数において、さらに細分化可能か否かについての判定結果の情報を付加して表示手段に表示し、
細分化対象のコアブリックの選択と開業医と薬局等のうちの一方の作業モードの指定に応じて、指定されたＧＰブリックまたはＰＯブリックの細分化を行うための細分化編集画面を作成し、当該細分化編集画面にはＧＰブリックまたはＰＯブリックを所定の行政界レベルのエリアに細分化した画像と、各細分化エリアについて開業医または薬局等の数が適合範囲に入っているかどうかを判定した判定結果の情報を表示し、
細分化エリアの結合，分割によってＧＰブリックまたはＰＯブリックを適合条件に適合するように細分化処理可能としたことを特徴とする。
【００３３】
請求項２９に係る発明は、ＧＰブリックおよびＰＯブリックについての所定の行政界レベルのエリアへの細分化処理は、細分化編集前に自動的に行うことを特徴とする。
請求項３０に係る発明は、コアブリックの範囲内で編集された開業医と薬局等について、個別のブリックが互いに部分的に重複しないかどうかを判定することを特徴とする。
【００３４】
請求項３１に係るブリック作成支援装置は、区割り対象地域を、開業医と薬局等の数が共に設定した範囲の下限値以上であり、開業医と薬局等の双方の施設又はどちらか一方の施設が最大の数の範囲であることを条件として、開業医のＧＰブリックであり薬局等のＰＯブリックでもあるコアブリックに区割りした区割りデータについて、コアブリック内の開業医または薬局等の個別の施設数において、さらに細分化可能であればＧＰブリックおよびＰＯブリックを区割りする作業を支援するブリック作成支援装置であって、
ＧＰブリックまたはＰＯブリックを細分化したエリア内の施設数が適合範囲に入っているか、過分か、不足かの適合状態を判定する判定手段と、
細分化要求に応じてデータ格納部からコアブリックの地図データおよび開業医および薬局等の施設数のデータを読み出して地図画面上にコアブリックを重ねた細分化ブリック選択画面を作成し、当該細分化ブリック選択画面には開業医と薬局等の数において、さらに細分化可能か否かについての判定結果の情報を付加して表示手段に表示する細分化ブリック選択画面作成手段と、
細分化対象のコアブリックの選択と開業医と薬局等のうちの一方の作業モードの指定に応じて、指定されたＧＰブリックまたはＰＯブリックの細分化を行うための細分化編集画面を作成し、当該細分化編集画面にはＧＰブリックまたはＰＯブリックを所定の行政界レベルのエリアに細分化した画像と、各細分化エリアについて開業医または薬局等の数が適合範囲に入っているかどうかを判定した判定結果の情報を表示する細分化編集画面作成手段と、を備えていることを特徴とする。
【００３５】
請求項３２に係る発明は、ＧＰブリックおよびＰＯブリックを所定の行政界レベルの基礎単位エリアへ細分化する細分化手段を備えていることを特徴とする。
請求項３３に係る発明は、コアブリック内で細分化したＧＰブリックとＰＯブリックが互いに部分的に重複しないかどうかを判定する判定手段を備えていることを特徴とする。
【００３６】
請求項３４に係る発明は、区割り対象地域について、開業医と薬局等の数が共に設定した範囲の下限値以上であり、開業医と薬局等の双方の施設又はどちらか一方の施設が最大の数の範囲であることを条件として、開業医のＧＰブリックであり薬局等のＰＯブリックでもある共有のブリックに区割りし、当該共有のブリックに基づいて病院についてのＨＰブリックを作成する作業を支援するブリックの作成支援方法において、
予めＧＰブリックでありＰＯブリックでもある共有のブリックを所定の行政界レベルで結合してＨＰブリックを自動的に作成してデータ格納部に格納しておき、
データ格納部からデータを読み出して地図画面上にＨＰブリックを重ねたＨＰブリック編集画面を作成し、当該ＨＰブリック編集画面には各ブリックの病院数が予め定めた適合範囲に入っているかどうかを判定した判定結果の情報を付加して表示手段に表示し、
ＨＰブリック編集画面上で、ブリックの結合をしてブリック内の病院数が所定範囲に収まるように修正可能とすることを特徴とする。
【００３７】
請求項３５に係る発明は、区割り対象地域について、開業医と薬局等の数が共に設定した範囲の下限値以上であり、開業医と薬局等の双方の施設又はどちらか一方の施設が最大の数の範囲であることを条件として、開業医のＧＰブリックであり薬局等のＰＯブリックでもある共有のブリックに区割りし、当該共有のブリックに基づいて病院についてのＨＰブリックを作成する作業を支援するブリックの作成支援装置において、
予めＧＰブリックでありＰＯブリックでもある共有のブリックを所定の行政界レベルで結合してＨＰブリックを自動的に作成してデータ格納部に格納するＨＰブリック自動作成手段と、
ＨＰブリック内の病院数の適合範囲を設定する適合条件設定手段と、
各ＨＰブリックの病院数が前記適合条件設定手段により設定された適合範囲に入っているか、過分か、不足かの適合状態を判定してデータ格納部に格納する判定手段と、
ＨＰブリックの編集要求に応じて、データ格納部からデータを読み出して地図画面上にＨＰブリックを重ねたＨＰブリック編集画面を作成し、当該ＨＰブリック編集画面には各ブリックの病院数が予め定めた適合範囲に入っているかどうかを判定した判定結果の情報を付加して表示手段に表示するＨＰブリック編集画面作成手段と、を備えていることを特徴とする。
【発明の効果】
【００３８】
本発明によれば、予め区割り対象地域を地図データに基づいて区割りするようにしたので、初期設定が簡単にできる。
その後、ブリック編集画面を作成し、ブリック内の医療関連施設数の適合状態を表示するようになっているので、適合状態を見ながらブリックの結合，分割をすればよく、ブリック編集の省力化を図ることができる。
【００３９】
また、ブリックの初期設定を予め定めた行政界レベルで区割りするようにすれば、行政区画のデータを有効に利用することができる。
【００４０】
また、結合開始要求に応じて結合候補となるブリックを表示するようになっているので、ブリックの選択が容易にできる。
【００４１】
さらに、結合候補となるブリックを表示する際に、結合した場合の医療関連施設数および医療関連施設数の判定結果が自動的に表示されるので、操作者は結合候補のブリックを選択して判定結果を確認するだけでよく、結合作業がより簡単になる。
【００４２】
また、分割ラインの入力に応じてブリックを分割するようになっているので、分割作業が簡単にできる。
【００４３】
分割ラインを入力すると、分割したエリアの識別情報を入力するためのダイアログが表示されるので、分割データの登録が簡単にできる。
【００４４】
分割する際に、背景画像として分割する際の補助となる地図上の分割補助画像を表示するようにすれば、分割ラインの入力が容易となる。
【００４５】
区割りされたすべてのエリアについて、開業医と薬局等の数が共にそれぞれの適合範囲に入っているか、開業医（ＧＰ）と薬局等（ＰＯ）のいずれか一方が適合範囲に入っているようなＧＰブリックでありＰＯブリックでもある共有のブリックとなるデータ構造とすれば、開業医と薬局等についての薬の流通量等について、統一的な統計を取ることができる
さらに、共有のブリックの範囲でＧＰブリックあるいはＰＯブリックを細分化するようにすれば、きめ細かいデータを取ることができる。
病院の数が予め定めた適合範囲に入るように、ＧＰブリック，ＰＯブリックを結合して構成すれば、薬の流通量について、地域単位で統一的に評価することができる。
【００４６】
また、ＧＰブリックとＰＯブリックを細分化する際に、ＧＰブリックでありＰＯブリックでもある共有のブリックをコアブリックとし、細分化ブリック選択画面上の各コアブリックに細分化可能か否かの判定情報を付加して表示するようにしたので、細分化対象のＧＰブリックまたはＰＯブリックの選択を容易に行うことができる。さらに、細分化対象のコアブリックを選択し、ＧＰブリックかＰＯブリックの作業モードを指定することにより、ＧＰブリックおよびＰＯブリックの細分化編集画面が表示されるので、編集作業を迅速に行うことができる。
また、細分化編集画面には、所定の行政界レベルのエリアに細分化した画像と、各細分化エリアについて開業医数または薬局等の施設数が適合範囲に入っているかどうかを判定した判定結果の情報を表示するので、判定情報に基づいて、細分化エリアの結合，分割をするだけで、ＧＰブリックあるいはＰＯブリックの細分化処理を簡単に行うことができる。
【００４７】
ＧＰブリックおよびＰＯブリックについての所定の行政界レベルのエリアへの細分化処理を細分化編集前に自動的に行うようにすれば、ブリックの作成手順がより簡単になる。
【００４８】
コアブリックの範囲内で作成された開業医と薬局等のＧＰブリックとＰＯブリックについて、個別のブリックが互いに部分的に重複しないかどうかを判定するようにすれば、開業医と薬局等についての薬の流通量等について、統一的な統計を取ることができる
【発明を実施するための最良の形態】
【００４９】
以下に本発明を図示の実施の形態に基づいて説明する。
実施の形態１
図１は本発明の実施の形態１に係るブリック作成支援装置を示している。
このブリック作成支援装置1は、コンピュータを用いて区割り対象地域を所定の医療関連施設の数が所定範囲に収まるように複数のブリックに区割りする作業を支援するもので、区割り対象地域を自動的に区割りし区割りしたエリアをブリックとしてデータ格納部１００に格納するブリック自動作成部１０と、ブリック内の医療関連施設数の適合範囲を設定する適合条件設定部２０と、各ブリックの医療関連施設数が予め定めた判定基準に合致しているかどうかを判定するブリック判定部３０と、ブリックの手動での確定作業を支援する手動確定支援部４０と、ブリック情報出力部５０と、判定ルール確認部６０とを備えている。
【００５０】
この実施の形態では、医療関連施設は、病院（ＨＰ），開業医（ＧＰ）および薬局等（ＰＯ）であり、ブリックとして、開業医のＧＰブリック、薬局等のＰＯブリック、病院のＨＰブリックを作成する。ＧＰブリックとＰＯブリックは同一エリアであり、ＧＰブリックでありＰＯブリックでもある共有のブリックを作成する。ＨＰブリックについてはＧＰブリックでありＰＯブリックでもある共有のブリックの集合として作成される。ここで、薬局等とは、薬局，その他を扱う医療関連施設を含むものとする。
【００５１】
データ格納部１００はコンピュータのＲＡＭ，ハードディスク，外部記憶装置等の記憶装置に記憶される。
一方、ブリック作成部１０，適合条件設定部２０，ブリック判定部３０，手動確定支援部４０，ブリック情報出力部５０および判定ルール確認部６０はコンピュータの主制御部２００において処理される。主制御部２００は、特に図示しないが、通常のコンピュータのマイクロプロセッサ（ＣＰＵ）とＲＡＭ等の主記憶装置を含む構成で、主記憶装置に読み込まれたプログラムに従ってデータが処理される。プログラムは一般的にはハードディスク等の補助記憶装置に記憶され、処理実行時に主記憶装置に読み出されて実行される。
主制御部２００には、キーボード，マウス等の入力装置７０および表示装置８０が接続されている。
【００５２】
ブリック自動作成部１０は、ＧＰブリック，ＰＯブリック自動作成部１１と、ＨＰブリック自動作成部１２を備えている。
ＧＰブリック，ＰＯブリック自動作成部１１は、地図データが格納された地図データ格納部３００と医療関連施設の情報が格納されたショップポイントリスト格納部３０１から処理対象地域の地図データおよび医療関連施設のデータを読み出し、予め定めた行政界レベルで区割りしてブリックとし、データ格納部１００に格納する。たとえば、市区については町丁目レベルまで区割りする。この区割りレベルは、医療関連施設の種別、適合条件設定部で定める適合条件に応じて定めるもので、なるべく適合エリアが多いレベルで区割りするようにすればよい。
【００５３】
地図データ格納部３００は、市区郡，町丁目，町村等の行政区画の名称，ポリゴンデータ等の形状情報や位置情報等の一般的な地図データが格納されている。
ショップポイントリスト格納部３０１は、医療関連施設（病院（ＨＰ），開業医（ＧＰ），薬局等（ＰＯ）等）の種別，住所等の情報が格納されている。
【００５４】
ＨＰブリック自動作成部１２は、ＧＰブリック，ＰＯブリックの集合として設定されるもので、ＧＰブリック，ＰＯブリックが作成されていることが前提で、所定の行政界レベルの大きさでＧＰブリック，ＰＯブリックの集合として自動的に設定される。たとえば、市区郡のレベルで自動設定する。
データ格納部１００は、行政界データが格納された行政界データ格納部１０１と、ブリックを行政界データと関連付けて格納するブリックデータ格納部１０２と、医療関連施設のデータがブリックおよび行政区画と関連付けて格納されたショップデータ格納部１０３が設けられている。
【００５５】
行政界データ格納部１０１には、所定対象地域毎に、少なくとも地図データの行政区画名と行政区画の形状等の幾何学データを関連付けて格納される。この実施の形態では、汎用的な地図データ格納部３００から区割り対象地域の行政界データを読み出して行政界データ格納部１０１に格納する。たとえば、市区郡の区画形状としてのポリゴンと座標位置、市区については町丁目の区画形状としてのポリゴンと座標位置、郡については町村の区画形状としてのポリゴンと座標位置が格納されている。また、行政区画の形状だけでなく、分割する際の補助となる河川，鉄道，道路などの情報が格納される。
この実施の形態では、町丁目データを基礎単位とし、各医療関連施設、病院（ＨＰ），開業医（ＧＰ），薬局等（ＰＯ）の数をカウントして属性情報として格納されている。また、図示していないが、町丁目データを基礎単位とし、病院（ＨＰ），開業医（ＧＰ），薬局等（ＰＯ）の数施設およびＨＰブリック，ＧＰブリック，ＰＯブリックの各ブリックコードのデータを格納したテーブルをマスターターテーブルとして格納されている。
ブリックデータ格納部１０２には、処理対象地域毎に、行政区画名及び分割細分名，ブリックの識別コード、対応する行政区画の識別コード、ブリックエリア内の病院（ＨＰ），開業医（ＧＰ），薬局等（ＰＯ）の数、各施設数の適合状態などが格納される。
ショップデータ格納部１０３には、処理対象地域毎に、医療関連施設コード、病院（ＨＰ），開業医（ＧＰ），薬局等（ＰＯ）の種別、住所等が格納される。
【００５６】
適合条件設定部２０は、病院（ＨＰ），開業医（ＧＰ），薬局等（ＰＯ）について、それぞれ独自の適合条件を設定するもので、たとえば、病院についてｎ１〜ｎ２の範囲、開業医についてはｍ１〜ｍ２の範囲、薬局等についてはo１〜ｏ２の範囲として設定する。ｎ１，ｎ２，ｍ１，ｍ２，ｏ１，ｏ２は任意に設定可能である。
【００５７】
ブリック判定部３０は、各ブリックを予め定めた判定基準によって、医療関連施設数の数が適合範囲か否かを判定するもので、ＧＰブリック，ＰＯブリックについては、開業医（ＧＰ）と薬局等（ＰＯ）の双方について適合条件に適合していることを条件とし、適正範囲、過分、不足、ゼロの４種類に分けている。また、開業医と薬局等のいずれかが０の場合には「ＯＲ」条件の設定とする。
【００５８】
手動確定支援部４０は、ＧＰブリック，ＰＯブリック手動確定支援部４１０と、ＨＰブリック手動確定支援部４２０とを備えている。ＧＰブリック，ＰＯブリック手動確定支援部４１０は、区割り対象地域のブリックの編集要求に応じてブリック編集画面を作成して表示装置８０の表示するブリック編集画面作成部４１１と、ブリックを結合するブリック結合部４１２と、ブリックを分割するブリック分割部４１３と、を有している。
ブリック編集画面作成部４１１は、区割り対象地域のブリックの編集要求に応じて、データ格納部１００から編集用のデータを読み出し、行政区画が表示された地図画面上にＧＰブリック，ＰＯブリックのエリアを重ね、各ブリックについてブリック判定部３０により判定された適合状態の情報を付加してブリック編集画面を作成し、表示装置８０に表示する。
【００５９】
ブリック結合部４１２は、ＧＰブリック，ＰＯブリックの選択と結合開始要求に応じてブリックに隣接する結合候補となるブリックを表示すると共に結合した場合の開業医（ＧＰ）および薬局等（ＰＯ）の数およびブリック判定部３０による適合判定結果を表示し、結合対象ブリックと結合候補ブリックとの結合確定要求に応じてブリックを結合し、データ格納部１００のＧＰブリックおよびＰＯブリックのデータを修正する。
【００６０】
ブリック分割部４１３は、施設数が過分状態の分割対象ブリックの選択と分割開始要求に応じて分割ラインを入力してブリックを分割し、分割確定要求に応じてデータ格納部１００のブリックの情報を修正する。
【００６１】
ＨＰブリック手動確定支援部４２０は、区割り対象地域のブリックの編集要求に応じてＨＰブリック編集画面を作成して表示装置８０に表示するブリック編集画面作成部４２１と、ブリックを結合するブリック結合部４２２とを有している。ＨＰブリックはＧＰブリックでありＰＯブリックでもある共有のブリックの集合として構成されるので、エリアの分割はしない。
【００６２】
ＨＰブリック編集画面作成部４２１は、ＨＰブリックの編集要求に応じてデータ格納部１００から自動作成されたＨＰブリック編集用のデータを読み出し、行政区分にＧＰブリック，ＰＯブリックおよびＨＰブリックのエリアを重ねた地図画面に、各ＨＰブリックについてブリック判定部３０による判定された適合状態の情報を付加してブリック編集画面を作成し、表示装置８０に表示する。
【００６３】
ＨＰブリック結合部４２１は、結合対象のＨＰブリックの選択と結合開始要求に応じてブリックに隣接する結合候補となるブリックを表示すると共に結合した場合の病院（ＨＰ）の数および判定部３０による適合判定結果を表示し、結合対象ＨＰブリックと結合候補ＨＰブリックとの結合確定要求に応じてＨＰブリックを結合し、データ格納部のＨＰブリックのデータを修正する。
【００６４】
ブリック情報出力部５０は、作業途中のブリック情報を出力する作業途中情報出力機能と、作業が完了したブリックデータを出力する作業完了情報出力機能と、医療関連施設の追加削除差分による更新対象ブリックリストを出力する更新情報出力機能とを備えている。
【００６５】
作業途中情報出力機能は、作業途中のブリック情報について仮ＩＤを付与し、そのブリックが保持する町丁目情報を出力ファイル５００にテキスト出力する機能である。
作業完了情報出力機能は、作業が完了したブリック情報とマスターデータの関連性の取得およびシーケンシャルブリックコードの付与を行う機能である。
更新情報出力機能は、各ブリックに対して病院（ＨＰ），開業医（ＧＰ），薬局等（ＰＯ）の数が変動した場合、その追加削除の差分が生じた更新対象ブリックリストを出力する機能である。
【００６６】
判定ルール確認部６０は、ブリックの結合，分割の際の判定ルール確認に用いる。結合，分割処理のルールについては、ナレッジデータベースとしてデータベース４００を構築し、またインターネットやＬＡＮ等の通信ネットワーク４０１を通じてデータベース４００にアクセス可能となっている。これにより、ブリックの作成を統一的な基準で作成することが可能となる。
【００６７】
次に、ＧＰブリック，ＰＯブリックを手動確定する作業手順について、図２の概念図および図４のフローチャートに基づいて説明する。
図４に示すように、入力装置７０からＧＰブリック，ＰＯブリックの編集要求が入力されると、ＧＰブリック，ＰＯブリック編集画面作成部４１１によってブリック編集画面が作成され、表示装置８０に表示される（Ｓ１）。
ブリック編集画面は、図２（Ａ）に示すように、行政区画の上にブリック（Ｂｒ１，Ｂｒ２，・・・）を重ねた編集用地図画像１００１と共に、開業医（ＧＰ）と薬局等（ＰＯ）の位置がマークされ、ブリックとしての適合状況が情報として表示される。図示例では、開業医（ＧＰ）を丸、薬局等（ＰＯ）を三角のマークで表示している。
また、編集用地図画像１００１では、行政区画だけでなく鉄道１００２，水系１００３も区割りの境界線として利用して区割りされている。
ＧＰブリック，ＰＯブリックとしての適合状況の情報は、各ブリックに吹き出し形式の適合状況表示欄１００４が設けられ、この適合状況表示欄１００２に開業医（ＧＰ）と薬局等（ＰＯ）の施設数と、適合（ＯＫ）か不適合（ＮＧ）かの適合状況が表示されている。さらに、各ブリックＢｒの領域は、色分けや網掛け等の識別パターン表示によって視覚を通じて直感的に識別可能としている。たとえば、施設数が適合している場合は緑、不足エリアについては朱色、施設数が過分のエリアについては黄色というように色分けされる。
図示例では、区割り対象地域を８つのエリアに区割りしたもので、５つのエリアがブリックとして適合し、３つのエリアが施設数不足の不適合エリアとなっている。図には過分のエリアは表示していない。
【００６８】
この施設数不足エリアについては、ブリックの適合条件を満足するように隣接するエリアと結合を繰り返す。
結合処理は、施設数不足の結合対象エリアＡ１を選択すると共に、結合開始要求を入力する（図４，Ｓ２，Ｓ３参照）。この結合開始要求によりブリック結合部４１２は結合対象エリアＡ１の隣接エリアのうち判定ルールに従うブリックを矢印１００５で表示させる(図２（Ｂ），図４，Ｓ４参照)。
この結合候補ブリックのうち、河川，湖沼，鉄道，道路等から考慮して×印のエリアには結合しない（図２（Ｃ）参照）。この選択は、オペレータが判断する。判定ルールは、判定ルール確認部６０を通じて判定ルールを格納したデータベース４００にアクセスすることにより、参照することができる。
図示例では、結合エリアはＧＰブリック，ＰＯブリックＢｒ１に絞り込まれるので、ＧＰブリック，ＰＯブリックＢｒ１を選択すると（図４，Ｓ５参照）、図２（Ｄ）に示すように、結合した場合の開業医（ＧＰ），薬局等（ＰＯ）の施設数と判定結果のダイアログ１００６が表示される（図４，Ｓ６参照）。
このダイアログ１００６を確認して適合している場合には、ダイアログ１００６に設けられた作成ボタン１００７を押すことにより確定したブリックデータが作成される（図４，Ｓ７，Ｓ８参照）。
【００６９】
次に、閾値オーバー(過分)のエリアを分割する手順について説明する。
表示装置８０に表示されたブリック編集画面で、図３（Ａ）に示すような過分のエリアＢ１を選択して分割開始を指示する（図４，Ｓ９，Ｓ１０参照）。図示例では、開業医（ＧＰ）が２５、薬局等（ＰＯ）が２０である。
このエリアについて、背景に地形および街路図等の補助画像を表示し、河川，鉄道，道路などを考慮して分割ラインＬを入力する（図４，Ｓ１１，図３（Ｂ）参照）。
分割ラインＬを入力すると、分割処理支援部４２２は分割情報入力ダイアログ１０１０を画面上に表示する。この分割情報入力ダイアログ１０１０には、分割後の分割情報入力欄１０１１，１０１２と、作成ボタン１０１３およびキャンセルボタン１０１４が設けられている。
分割情報入力欄１０１１，１０１２には、分割名称を入力し、作成ボタン１０１３をクリックすると分割情報がデータ格納部１００に格納される(図４，Ｓ１３，Ｓ１４参照)。
エリア分割後、その結果が画面に表示され（図３（Ｃ），図４，Ｓ１５参照）、分割した各エリアＢ１１，Ｂ１２には、吹き出しの適合状況表示欄１００４が設けられる。
以上の結合，分割を繰り返し、条件に適合するＧＰブリック，ＰＯブリックを確定していく。
【００７０】
次に、具体的なブリック作成手順について説明する。
図５はＧＰブリック，ＰＯブリックを自動作成する場合の画面構成である。
ＧＰブリック，ＰＯブリック自動作成画面２０００は、各種データパスの指定欄２０１０と、ブリック自動作成モードか、中間データ初期化モードを選択するチェックボックス２０２１，２０２２と、適合条件を表示すると共に設定変更ボタン２０３１が設けられた適合条件表示欄２０３０と、処理を行う６０区分の指定欄２０４０と、処理実行用のＯＫボタン２０５０と、処理中止用のキャンセルボタン２０６０と、が設けられている。
【００７１】
データパス指定欄２０１０は、ショップポイントテーブルの指定欄２０１１と、町丁目行政界地図データパッケージの指定欄２０１２と、中間データの出力先ディレクトリの指定欄２０１３を備えている。
ショップポイントテーブルはショップポイントリスト格納部３０１に対応し、行政界地図データパッケージは、図１に記載の地図データ格納部３００に対応する。
中間データは、図１に記載のデータ格納部１０１に対応し、処理区分毎に行政界データと、作成するブリックおよび医療関連施設を互いに関連付けて格納する。
チェックボックス２０２１，２０２２については、中間データ、すなわちデータ格納部１００の初期化のみを行う場合（ブリックの自動作成を行わない場合）はブリック自動作成を行うチェックボックス２０２２を外し、ブリックの自動作成のみを行う場合（既に中間データの初期化が完了している場合）は中間データの初期化のチェックボックス２０２１を外す。
【００７２】
適合条件表示欄２０３０には、現在設定されている開業医（ＧＰ）と薬局等（ＰＯ）の施設数が表示されている。適合条件を変更する場合は、設定変更ボタン２０３１を押す。
設定変更ボタン２０３１を押すと、図５（Ｂ）に示すような適合条件設定ダイアログ２０３２が表示される。適合条件設定ダイアログ２０３２には、病院（ＨＰ）の適合範囲設定欄２０３３と、開業医（ＧＰ）の適合範囲設定欄２０３４と、薬局等（ＰＯ）の適合範囲設定欄２０３５と、処理実行用のＯＫボタン２０３６と、処理中止用のキャンセルボタン２０３７が設けられている。
適合条件は、病院（ＨＰ），開業医（ＧＰ），薬局等（ＰＯ）について、それぞれ独立に任意に最小値，最大値を設定できるようになっている。適合条件の表示欄には、ＧＰとＰＯの適合条件についてのみ表示される。
処理を行う６０区分の指定欄２０４０では、全国を６０の処理対象地域に区分しており、処理対象となる区分を指定するようになっている。処理対象区分の指定は、図５（Ｃ）に示すように、左側の区分コードリスト２０４１から処理をかけたい区分名称を選択し、ボタンを押すことにより処理対象区分コード欄２０４２に処理対象区分名称が表示される。
【００７３】
ＧＰブリック，ＰＯブリックの自動作成を実行する場合には、ブリック自動作成のチェックボックスをチェックし、適合条件表示欄２０３０で適合条件を確認し、処理対象区分コード欄２０４２を確認し、ＯＫボタン２０５０を押す。
ＯＫボタン２０５０が押されると、ＧＰブリック，ＰＯブリック自動作成部１１によって自動作成処理がなされ、中間データの出力先に指定されたデータ格納部１００に、処理区分毎に、行政界データ格納部１０１，ショップデー格納部１０２およびブリックデータ格納部１０３が作成され、地図データ格納部３００から処理区分内の町丁目行政界地図のデータを読み出して行政界データ格納部１０１に格納し、ショップポイントリスト格納部３０１から医療施設データを読み出してショップデータ格納部１０３に格納する。
また、ブリックデータ格納部１０２には、予め設定された行政界レベルで区割りされたエリアをブリックとして登録する。６０区分を最大単位とし、町丁目レベルまで作成する。
この例では、所定対象区分は北海道１〜６，岩手の７区分を所定対象地域とし、それぞれの処理区分毎にそれぞれデータが作成される。
処理が終了すると、図５（Ｄ）に示すように、処理が終了ダイアログが表示され、ＯＫボタン２０７１を押すと自動作成画面を閉じる。
【００７４】
図６はＧＰブリック，ＰＯブリックの手動確定用の初期画面の構成である。
この手動確定用初期画面３０００には、中間データの格納ディレクトリパスの指定欄３０１０と、処理対象の区分指定欄３０２０と、処理を実行するＯＫボタン３０３０と、処理を中止するキャンセルボタン３０４０が設けられている。
この中間データの格納ディレクトリパス指定欄３０１０でデータ格納部１００のディレクトリを指定し、区分指定欄３０２０で処理区分を指定し、ＯＫボタン３０３０を押すと、図６（Ｂ）に示すようなブリック編集画面３１００が表示される。
ブリック編集画面３１００は、ブリックの情報が付加された処理対象地域の地図画面３１１０と、各ブリックの適合状況を表示する適合状況表示欄３１２０と、医療関連施設の種別毎の色分けと区分内の数を表示するショップデータ表示欄３１３０と、結合，分割用のツール表示欄３１４０が設けられている。
【００７５】
地図画面３１１０は、行政区分が表示された地図上に、ブリックのエリアを重ねて表示したもので、各ブリックエリアの境界線が行政区画と区別できるように色を変えて太線で表示され、各エリアのＧＰブリック，ＰＯブリックとしての適合状況が色分け等のパターン分け表示されている。この実施の形態では、過分，不足，ショップ無し，適合，不足（確定），過分(確定)の６種類に分けられている。パターンについては適宜設定される。ここで、不足(確定)，過分(確定)というのは、適合条件を満たさない状態で結合を確定したエリアである。
ブリック適合状況表示欄３１２０には、過分，不足，ショップ無し，適合，不足（確定），過分(確定)のエリアのパターンサンプルと、数が示されている。
この実施の形態では、ＧＰブリック，ＰＯブリックとしての適合条件は、開業医（ＧＰ）と薬局等（ＰＯ）の数が共に適合範囲に入っている場合と、どちらか一方の施設が適合していて他方がゼロの場合である。
【００７６】
ショップデータ表示欄３１３０には、地図画面３１１０上の住所地に表示される医療関連施設の識別マークについて、たとえば、病院（ＨＰ）を赤、開業医（ＧＰ）を青、薬局等（ＰＯ）を緑と色別表示をし、処理対象地域全体の数を表示している。
編集用ツール表示欄３１４０には、条件設定ボタン３１４１、データ保存ボタン３１４２，結合解除ボタン３１４３，結合開始ボタン３１４４、結合確定ボタン３１４５、分割開始ボタン３１４６、分割線入力ボタン３１４７、分割確定ボタン３１４８、分割解除ボタン３１４９が設けられている。
【００７７】
条件設定ボタン３１４１は、病院（ＨＰ），開業医（ＧＰ），薬局等（ＰＯ）の施設数の適合範囲を設定するもので、図５（Ｂ）に示した適合条件設定ダイアログと同じダイアログが表示され、適合条件の変更が可能である。
【００７８】
次に、ブリックの結合操作について説明する。
図７（Ａ）は、地図画面の結合するエリア周辺を拡大した画面で、結合対象エリアを選択し、ブリック結合開始ボタンを押した状態を示している。
この状態では、施設数が不足のブリックのエリアを表すポリゴンＡ１０が強調表示され、いくつかの結合候補となるブリックのポリゴンが自動的に表示される。この結合候補となるブリックについては、地図画面上に病院（ＨＰ），開業医（ＧＰ），薬局等（ＰＯ）の数と郵便番号の情報が表示される。この例では、選択したポリゴンＡ１０の図中上下に位置するエリアのポリゴンＡ１１，Ａ１２，図中左に位置するエリアのポリゴンＡ１３が候補として表示されている。
【００７９】
選択したポリゴンＡ１０は、開業医（ＧＰ）の数がゼロ、薬局等（ＰＯ）の数が１で、施設数が不足するエリアである。隣接するエリアのポリゴンＡ１１，Ａ１２も施設数が不足するエリアで、エリアＡ１３がＧＰブリック，ＰＯブリックとして適合するエリアである。
地図画面と別に、メッセージウィンドウ３１５０が表示され、メッセージウィンドウ３１５０には、選択したエリアＡ１０についてのＧＰブリック，ＰＯブリックとして適合，不適合の区別、開業医（ＧＰ）の数、薬局等（ＰＯ）の数、郵便番号、結合候補のエリア数が表示される。
【００８０】
図７（Ｂ）は、結合候補のエリアのポリゴンＡ１１，Ａ１２を選択し、さらにポリゴンＡ１３を選択した状態を示している。
このポリゴンＡ１３を選択した状態で、次の結合候補としてポリゴンＡ１３の図中右に位置するポリゴンＡ１４，Ａ１５が表示されると共に、選択したすべてのポリゴンＡ１０，Ａ１１，Ａ１２，Ａ１３の領域内の開業医（ＧＰ）数、薬局等（ＰＯ）数が表示され、メッセージウィンドウ３１５０に適合，不適合の判定状態が表示される。図示例では、開業医（ＧＰ）数が９、薬局等（ＰＯ）数が１２となり、ＧＰブリック，ＰＯブリックとして適合することが表示されている。
【００８１】
図８（Ａ）は、メッセージウィンドウ３１５０で条件に合致したことを確認し、結合確定ボタン３１４５を押した状態で、結合処理についての確認ウィンドウ３１６０が表示され、結合されたエリアが強調表示される。確認ダイアログのＯＫボタン３１６１を押すと、結合処理が実行され、図８（Ｂ）に示すように、一つのポリゴンＡ１０１として表示される。
なお、この実施の形態では、ポリゴン結合時に、ＧＰブリック，ＰＯブリックとしての適合条件を満たしていない場合でも、結合確定ができるようになっている。結合確定ボタン３１４５を押した際に、条件に適合していない場合には、「条件が不適合なため結合できません。一時的に確定しますか？」というメッセージが入ったダイアログが表示され、ＯＫボタンを押すと一時的な確定処理が実行される。
【００８２】
図９はブリックの結合を解除する操作画面を示している。
図９（Ａ）は、ブリックの結合を解除させるポリゴンＡ１０１を選択した状態、図９（Ｂ）は結合解除ボタン３１４３を押した状態を示している。結合解除ボタン３１４３を押すと、地図画面は結合解除のプレビュー画面となり、結合を解除した場合の、すべてのブリックについて、病院（ＨＰ），開業医（ＧＰ），薬局等（ＰＯ）の数と郵便番号の情報が表示され、結合解除の確認ダイアログが表示される。結合解除のプレビュー画面を確認した後、確認ダイアログでＯＫボタンを押すと解除処理が実行されてブリックの結合が解除される。
【００８３】
図１０は、上記ＧＰブリック，ＰＯブリック結合処理手順のフローチャート例を示している。
すなわち、区割り対象地域のブリックの編集要求に応じて、ブリック編集画面作成部４１１がデータ格納部１００からデータを読み出してブリック編集画面３１００を作成して表示装置８０に表示する（Ｓ２１）。
ブリック編集画面３１００上で、オペレータがマウス等の入力装置７０によってＧＰブリック，ＰＯブリックとして施設数が不足のポリゴンＡ１０を選択し（Ｓ２２）、結合開始ボタンを押すと（Ｓ２３）、ブリック結合部４１２が隣接する結合候補エリアの情報をデータ格納部１００から検索し、ブリック編集画面３１００の地図画面３１１０上に結合候補エリアのポリゴンＡ１１，Ａ１２，Ａ１３を表示する（Ｓ２４）。
同時に、選択しているポリゴンについての開業医（ＧＰ）数および薬局等（ＰＯ）数を表示すると共に、開業医数および薬局等数がＧＰブリック，ＰＯブリックとして適合しているか否かがブリック判定部３０によって判定され、判定結果がブリック編集画面３１００のメッセージウィンドウ３１５０に表示される（Ｓ２５）。
【００８４】
最初に選択したポリゴンは不足エリアなので、結合候補のポリゴンの中から一つ選択する（Ｓ２６，Ｓ２７）。この選択によって先に選択されたポリゴンと次に選択されたポリゴンのエリア全体について、開業医（ＧＰ）数および薬局等（ＰＯ）数を加算して表示すると共に、開業医数および薬局等数がＧＰブリック，ＰＯブリックとして適合しているか否かが判定部によって判定され、判定結果がメッセージウィンドウ３１５０に表示される。
選択した全体のエリア内の開業医数および薬局等数がＧＰブリック，ＰＯブリックとして適合範囲に入るまで、結合候補ポリゴンの選択を繰り返す。結合候補ポリゴンは、最初に表示された複数の結合候補エリアの選択が終了すると、次の結合候補エリアが表示される。
【００８５】
選択した全体のエリア内の開業医数および薬局等数がＧＰブリック，ＰＯブリックとして適合範囲に入り、結合確定ボタン３１４５が押されると(Ｓ２８)、ブリック結合部４１２は選択された全てのエリアをＧＰブリック，ＰＯブリックとして、ポリゴンデータを結合すると共に新たな識別情報を付し、データ格納部１００に登録する（Ｓ２９）。
結合をキャンセルすると、不足エリアの選択に戻る（Ｓ３０）。
【００８６】
次に、ブリックを分割する場合について説明する。
図１１（Ａ）は、あるエリアを分割する場合を示している。まず、分割したいエリアと合致するブリックエリアＢ１００を選択し、分割開始ボタン３１４６を押す。
分割可能のブリックを選択していれば、メッセージウィンドウ３１５０に分割可能である旨が表示される。
ドローツールを用いて分割線Ｌを入力すると分割結果がプレビューされ、各分割エリア内の病院（ＨＰ）の数、開業医（ＧＰ）の数および薬局等（ＰＯ）の数、郵便番号が表示される。
【００８７】
次いで、分割確定ボタン３１４７を押すと、細分化地域名の入力ダイアログ３１６０が表示される。
この細分化地域入力ダイアログ３１６０には、分割地域について細分化地域コード入力欄３１６１，３１６２が設けられ、参考として、町域名、市町村コード、町丁目コード、グループコード、郵便番号が表示される。
ダイアログで細分化地域コード入力欄３１６１，３１６２に分割情報を入力し、ＯＫボタン３１６３を押すと、該当する細分化地域が強調表示され分割情報がデータ格納部に格納される。すなわち、該当エリアが分割ポリゴンとしてデータに追加され、分割ポリゴンを基本としてブリックデータが登録される。
分割開始ボタンを解除すると次の作業に移行する。
【００８８】
次に、分割したエリアを元（初期状態）に戻す場合について説明する。
図１２（Ａ）に示すように、分割したエリアＢ１０１を選択して分割解除ボタン３１４８を押すと、図１２（Ｂ）に示すように、分割解除対象となるエリアＢ１００がプレビューされ、解除確認ウィンドウ３１７０が表示され、ＯＫボタン３１７１を押すと分割が解除される。
【００８９】
次に、図１３，図１４を参照して、病院に関するＨＰブリックの作成ツールについて説明する。
ＨＰブリックの作成ツールは、次の２つの機能を備えている。
第１に、確定作業済みのＧＰブリック，ＰＯブリックデータを元にしてＨＰブリックを自動作成する。
第２に、自動作成したＨＰブリックデータを元に手動確定作業を行う。
【００９０】
図１３（Ａ）は、ＨＰブリックを自動作成する場合の画面構成である。
ＨＰブリック自動作成画面４０００は、中間データとしてのデータ格納部１００の格納ディレクトリパスの指定欄４０１０と、ＨＰブリックの初期化を行うかどうかのチェックボックス４０２０と、処理を行う６０区分の指定欄４０３０と、処理実行用のＯＫボタン４０４０と、処理中止用のキャンセルボタン４０５０と、が設けられている。
【００９１】
まず、中間データディレクトリの指定欄４０１０の指定と、６０区分の処理対象区分を指定し、ＯＫボタン４０４０を押す。
ＯＫボタン４０４０が押されると、ＨＰブリック自動作成部１２によって、データ格納部１００が参照され、確定作業済みのＧＰブリック，ＰＯブリックデータを元にしてＨＰブリックが自動的に区割りされ、ＨＰブリックとＧＰブリック，ＰＯブリックと対応付けたテーブルが作成される。処理が終了すると、自動的に手動確定の画面へと移行する。
【００９２】
図１３（Ｂ）はＨＰブリックの手動確定用の編集画面の構成である。
このＨＰブリック編集画面４１００は、ＧＰブリック，ＰＯブリックの手動確定画面と同様に、処理区分指定欄で指定した処理区分の地図画面４１１０と、各ＨＰブリックのブリック適合状況を表示する適合状況表示欄４１２０と、医療関連施設の種別毎の色分けと区分内の数を表示するショップデータ表示欄４１３０と、結合用のツール表示欄４１４０が設けられている。
【００９３】
処理区分の地図画面４１１０は、行政区画およびＧＰブリック，ＰＯブリックが表示された地図上に、ＨＰブリックのエリアを重ねて表示されている。各ブリックの境界線は行政区画と区別できるように色を変えて太線で表示され、各ブリックの適合状況が色分け表示されている。
【００９４】
適合条件表示欄４１２０では、過分，不足，ショップ無し，適合，過分(確定)，不足（確定）の状態の色分け等の表示パターンのサンプルと、該当するエリアの数を示している。
また、ショップデータ表示欄では、地図画面上に表示される病院（ＨＰ）、開業医（ＧＰ）、薬局等（ＰＯ）の識別マーク（色分け等）と、その数を表示している。
【００９５】
ツール表示欄４１４０には、条件設定ボタン４１４１、データ保存ボタン４１４２，結合解除ボタン３１４３，結合開始ボタン３１４４、結合確定ボタン３１４５が設けられている。ＨＰブリックについてはＧＰブリック，ＰＯブリックの集合であることから、分割機能はない。ＨＰ手動確定上不都合が生じた場合には、該当する個所のＧＰブリック，ＰＯブリックの再構成が必要となる。
【００９６】
ＨＰブリックの結合は、ＧＰ／ＰＯの結合処理の作業手順と同様なので詳細には説明しないが、編集画面４１１０上で、オペレータがマウス等の入力装置によってＨＰブリックとして施設数が不足のエリアを選択し、結合開始ボタン４１４４を押すと、ブリック結合部４２２が隣接する結合候補エリアの情報をデータ格納部１００から検索し、表示画面上に結合候補エリアの情報を表示する。同時に、選択しているエリアについての病院（ＨＰ）数を表示すると共に病院数がＨＰブリックとして適合しているか否かが判定部３０によって判定され、判定結果が表示画面上に表示される。
【００９７】
選択した全体のエリア内の開業医数および薬局等数がＨＰブリックとして適合範囲に入るまで、結合候補エリアの選択を繰り返し、選択した全体のエリア内の病院数がＨＰブリックとして適合範囲に入り、結合確定ボタン４１４５が押されると、ブリック結合部４２２は選択された全てのエリアをＨＰブリックとして、ポリゴンデータを結合すると共に新たな識別情報を付し、データ格納部１００に登録する。
【００９８】
結合解除については、図１３に示すように、結合解除対象のＨＰブリックＣ１０を選択して結合解除ボタン４１４３を押す。すると、ブリック結合解除についてのメッセージウィンドウ４１５０が表示され、ＯＫボタン４１５１を押すと結合が解除される。
【００９９】
次に、ブリック情報出力部５０の機能について説明する。
このブリック情報出力部５０は、次の３つの機能を備えている。
第１に、作業途中のブリックデータについて仮ＩＤを付与し、そのブリックが保持する町丁目情報をテキスト出力する。
作業途中のブリックデータとは、手動確定前の未確定のブリックのデータ、および適合条件に合致していない状態で一時的に確定したブリックのデータである。
第２に、作業が完了したブリックデータについて、市区郡等のマスターデータとの関連性を取得し、シーケンシャルなブリックコードを付与する。
第３に、一旦ブリック作業が完了したブリックデータに対してショップ（医療関連施設）データの追加削除により、更新が必要となった場合、差分処理を行い、その更新対象ブリックを出力する。
【０１００】
図１５は、出力情報設定画面を示している。
この出力情報設定画面５０００は、各種データパス設定欄５０１０と、出力情報の種類を設定するラジオボタン５０２１，５０２２，５０２３と、適合条件を表示すると共に設定変更ボタン５０３１が設けられた適合条件表示欄５０３０と、処理を行う６０区分の指定欄５０４０と、処理実行用のＯＫボタン５０５０と、処理中止用のキャンセルボタン５０６０と、チェックインのチェックボックス５０７０が設けられている。
【０１０１】
各種データパス設定欄５０１０は、ショップポイントテーブルの指定欄５０１１と、結果の出力先ディレクトリの指定欄５０１２と、中間データ出力先指定欄５０１３と、を備えている。
ショップポイントテーブルの指定欄５０１１と中間データ出力先指定欄５０１３は、図５に示したＧＰブリック，ＰＯブリック自動作成画面２０００の、ショップポイントテーブルの指定欄２０１１と中間データの出力先ディレクトリの指定欄２０１３と同じであり、地図データベース３００のショップリスト格納部３０２とデータ格納部１００のディレクトリである。
出力情報の種類を設定するラジオボタンは、差分出力のラジオボタン５０２１、途中経過出力のラジオボタン５０２２、結果出力のラジオボタン５０２３となっている。
【０１０２】
作業途中のブリックデータの情報をテキスト出力する手順は次の通りである。
途中経過週出力のラジオボタン５０２２をチェックする。
次に、テキストファイルの出力先ディレクトリを指定し、作業中の中間データの格納先のディレクトリを指定する。
処理を行う６０区分名称を選んで右側のリストボックスに追加し、ＯＫボタン５０５０を押すと、作業中のブリックの情報をテキストファイルに書き出す。
処理が完了すると終了のダイアログが表示される。
【０１０３】
出力結果については、出力先ディレクタの直下に、図１６に示すような内容のテキストファイルを出力する。
すなわち、ブリックに仮に付与した仮ＩＤと、そのエリアが所属する市区郡名，市区町村コード，町村名，町大字名，町大字コード，町丁目名，町丁目コード，町丁目の飛び地シーケンシャル番号であるグループコード，細分化地域名および郵便番号、そのエリアに所属する病院（ＨＰ），開業医（ＧＰ）および薬局等（ＰＯ）の施設数、該当するブリックの適合状態を示すステイタスフラッグ（StatusFlg）等が出力される。
【０１０４】
次に、作業結果のブリックデータの情報をテキスト出力する手順は次の通りである。
中間データディレクトリにＨＰブリックが作成されていれば自動的にＨＰブリックデータについてもリストへ書き出しを行う。
まず、結果出力を行うラジオボタン５０２３をチェックする。
次に、「チェックイン」のチェックボックス５０７０にチェックを入れるとシーケンシャル番号の更新，マスターテーブルへの反映処理を行う。
【０１０５】
次いで、ディレクトリ指定欄で、テキストファイルの出力先ディレクトリを指定する。
また、出力先ディレクトリの作業結果の中間データの格納先のディレクトリを指定する。
処理を行う６０区分名称を選んで右側のリストボックスに追加する。
ＯＫボタン５０５０を押すと作業結果のブリックの情報をテキストファイルに書き出す。
処理が完了すると終了のダイアログが表示される。
出力結果は、コントロールで設定したディレクトリ直下に以下の内容のテキストファイルを出力する。
【０１０６】
作業結果は、図１７（Ａ）に示すように、ＧＰブリックに対する町丁目リスト、ＰＯブリックに対する町丁目リスト、ショップデータに対するブリックコード、ＨＰブリックに対する町丁目リストである。
ＧＰブリックに対する町丁目リストは、図１７（Ｂ）に示すように、ＧＰブリックに付与したＧＰブリックコードと、そのエリアが所属する市区郡名，市区町村コード，町村名，町大字名，町大字コード，町丁目名，町丁目コード，町丁目の飛び地シーケンシャル番号であるグループコード、そのエリアが所属する細分化地域名および郵便番号である。
【０１０７】
ＰＯブリックに対する町丁目リストは、図１７（Ｃ）に示すように、ＰＯブリックに付与したＧＰブリックコードと、そのエリアが所属する市区郡名，市区町村コード，町村名，町大字名，町大字コード，町丁目名，町丁目コード，町丁目の飛び地シーケンシャル番号であるグループコード、そのエリアが所属する細分化地域名および郵便番号である。
【０１０８】
ショップデータ情報は、図１７（Ｄ）に示すように、ショップコード（ＳＨＯＰ−ＣＯＤＥ）、そのショップ(医療関連施設)が所属するブリックコード（ＢＲＩＣＫ−ＣＯＤＥ）、ポリゴン上の町丁目コード，住所文字列，都道府県名称、市区町村名称、町大字名称、丁目名称、細分化地域名称および６０区分コードである。
【０１０９】
ＨＰブリックに対する町丁目リストは、図１７（Ｅ）に示すように、ＨＰブリックに付与したＨＰブリックコードと、そのエリアが所属する市区郡名，市区町村コード，町村名，町大字名，町大字コード，町丁目名，町丁目コード，町丁目の飛び地シーケンシャル番号であるグループコード、そのエリアが所属する細分化地域名および郵便番号である。
【０１１０】
次に、ブリックデータとショップデータの追加削除差分による更新対象ブリックのリスト書き出しを行う手順を説明する。
差分出力ラジオボタン５０２１にチェックを入れる。ラジオボタン５０２１をチェックすると、新しいショップデータを指定するコントロールおよび適合条件設定の設定変更ボタンが有効になる。
コントロールで更新されたショップデータテーブルのパスを指定する。
コントロールで中間データの保存先ディレクトリのパスを指定する。
処理を行う区分を指定し、ＯＫボタンを押すと処理が開始される。
処理が完了すると終了のダイアログが表示される。
【０１１１】
出力結果は、コントロールで設定したディレクトリ直下に以下の内容のテキストファイルを出力する。
出力結果としては、図１８（Ａ）に示すように、ＧＰブリック，ＰＯブリック内でショップデータの増減があるブリックリストと、ＨＰブリック内でショップデータの増減があるブリックリストと、行政界及び細分化レベル内でショップデータの増減分リストである。
【０１１２】
ＧＰブリック，ＰＯブリック内でショップデータの増減があるブリックリストは、変更情報として、ショップ数の変化のみの場合には“ショップ数が更新されました”、条件合致状況の変化がある場合には“適合状況が更新されました”と表示する。
さらに、該当するＧＰブリックコード、該当するＰＯブリックコード、新しく集計したＨＰ数，ＧＰ数およびＰＯ数、新しく集計したショップ数で判定した適合状況コード、元のＨＰ数，ＧＰ数およびＰＯ数が出力される。
ＨＰブリック内でショップデータの増減があるブリックリストは、変更情報として、ショップ数の変化のみの場合には“ショップ数が更新されました”、条件合致状況の変化がある場合には“適合状況が更新されました”と表示する。
【０１１３】
さらに、該当するＨＰブリックコード、新しく集計したＨＰ数，ＧＰ数およびＰＯ数、新しく集計したショップ数で判定した適合状況コード、元のＨＰ数，ＧＰ数およびＰＯ数が出力される。
行政界及び細分化レベル内でショップデータの増減分リストは、変更情報として、ショップ数の変化のみの場合には“ショップ数が更新されました”、条件合致状況の変化がある場合には“適合状況が更新されました”と表示する。
さらに、その町域が所属する町丁目コード，町丁目の飛び地シーケンシャル番号であるグループコードおよびその町域が所属する細分化地域コード、新しく集計したＨＰ数，ＧＰ数およびＰＯ数、その町域が所属するＨＰブリックコード，ＧＰブリックコードおよびＰＯブリックコード、新しく集計したショップ数で判定した適合状況コード、元のＨＰ数，ＧＰ数およびＰＯ数が出力される。
【０１１４】
判定ルール確認支援部は、判定ルールのデータが格納されたデータベースを構築しておき、また、このデータベースにインターネットやＬＡＮ等の通信ネットワークを通じてアクセス可能としたものである。
【０１１５】
以上の説明では、医療関連施設として、病院,開業医，薬局等を例にとって説明したが、その他看護、介護関連の施設等にも適用可能である。
また、ブリックの作成単位として、ＧＰブリックとＰＯブリックを互いに独立して作成(ＯＲ条件)してもよいが、本実施の形態のように、ＧＰブリック，ＰＯブリックとして作成(ＡＮＤ条件)すれば、ＧＰブリックとＰＯブリックが同じエリアとして処理することができ、開業医（ＧＰ）と薬局等（ＰＯ）についての薬の流通量等について、地域的に重複のない統計を取ることができる。
また、病院のＨＰブリックについても、ＧＰブリック，ＰＯブリックと無関係に行政区画を元にして作成してもよいが、本実施の形態のようにＧＰブリック，ＰＯブリックと関連付けておけば、薬の流通量について、地域単位で統一的に評価することができる。
【０１１６】
図１９乃至図３０は本発明の実施の形態２に係るブリック作成支援方法及び支援装置を示している。
実施の形態１ではＧＰブリックとＰＯブリックを同一地域で作成しているが、実施の形態２では、ＧＰブリックとＰＯブリックをそれぞれの適合条件の範囲内で、お互いにオーバーラップしないことを条件に極力細分化するようにしたものである。
【０１１７】
図１９には、このブリック作成支援装置の全体構成を示している。以下の説明では主として実施の形態１と異なる点について説明し、同様の構成部分については同一の符号を付して説明は省略するものとする。
すなわち、適合条件設定部２０と、ブリック判定部３０と、コアブリック自動作成部１１′と、コアブリック手動確定部４１０′と、細分化ブリック選択画面作成部６００と、ＧＰブリック自動細分化部７００と、ＧＰブリック手動確定部７１０と、ＰＯブリック自動細分化部８００と、ＰＯブリック手動確定部８１０と、ＨＰブリック自動作成部１２と、ＨＰブリック手動確定部４２０と、ブリック情報出力部５０と、判定ルール確認部６０と、を備えている。
【０１１８】
コアブリック自動作成部１１′およびコアブリック手動確定部４１０′は、実施の形態１のＧＰブリック，ＰＯブリック自動作成部１１およびＧＰブリック，ＰＯブリック手動確定部４１０と同じ手順で作成されるものであるが、データ格納部１００のブリックデータとして、ＧＰブリックおよびＰＯブリックのデータテーブルとは別にコアブリックのデータテーブルが追加される。
適合条件設定部２０は、コアブリックについての適合条件、ＧＰブリックについての適合条件、ＰＯブリックについての適合条件、ＨＰブリックについての適合条件がそれぞれ設定される。
【０１１９】
細分化ブリック選択画面作成部６００は、ブリックの細分化要求に応じてデータ格納部１００からコアブリックの地図データおよび開業医（ＧＰ），薬局等（ＰＯ）の数のデータを読み出して地図画面上にコアブリックを重ねた細分化ブリック選択画面６０００を作成し、細分化ブリック選択画面６０００には開業医（ＧＰ）と薬局等（ＰＯ）の数において、さらに細分化可能か否かについての適合状態を付加して表示装置８０に表示する。
【０１２０】
ＧＰブリック自動細分化部７００は、開業医（ＧＰ）について細分化可能なコアブリックを予め定めた行政界レベルまで自動的に細分化する機能を有する。この例では、市区についてはマスターテーブルで基礎単位としている町丁目レベルのポリゴンデータまで区割りする。
ＧＰブリック手動確定部７１０は、細分化ブリック選択画面６０００上での細分化可能のコアブリックの選択と、開業医の指定に応じて、ＧＰブリックの細分化を行う細分化編集画面７０００を作成する細分化編集画面作成部７１１と、細分化したエリアを結合するブリック結合部７１２と、ポリゴンを分割するブリック分割部７１３とを備えている。細分化編集画面７０００にはコアブリックを所定の行政界レベルのエリアに細分化した画像と、各細分化エリアについて指定された開業医数が適合範囲に入っているかどうかを判定した判定結果の情報が表示される。
【０１２１】
ＰＯブリック自動細分化部８００についても、薬局等（ＰＯ）について細分化可能なコアブリックを予め定めた行政界レベルまで自動的に細分化する機能を有する。この例では、市区については町丁目レベルまで区割りする。
ＰＯブリック手動確定部８１０は、細分化ブリック選択画面上での細分化可能のコアブリックの選択と薬局等の指定に応じて、ＰＯブリックの細分化を行う細分化編集画面８０００を作成する細分化編集画面作成部８１１と、細分化したエリアを結合するブリック結合部８１２と、ポリゴンを分割するブリック分割部８１３とを備えている。細分化編集画面８０００にはコアブリックを所定の行政界レベルのエリアに細分化した画像と、各細分化エリアについて指定された薬局等数が適合範囲に入っているかどうかを判定した判定結果の情報を表示する。
【０１２２】
ブリック判定部３０は、コアブリックについての適合状態、ＧＰブリックについての適合状態、ＰＯブリックについての適合状態、ＨＰブリックについての適合状態をそれぞれ判定する機能に加えて、ＧＰブリックおよびＰＯブリックを細分化したエリア内の施設数が適合範囲に入っているか、過分か、不足かの適合状態を判定する。さらに、コアブリックの範囲内で編集された開業医と薬局等について、ＧＰブリックとＰＯブリックが互いに部分的に重複しないかどうかを判定する機能を備えている。
【０１２３】
ＨＰブリック自動作成部１２と、ＨＰブリック手動確定部４２０と、ブリック情報出力部５０と、判定ルール確認部６０は、実施の形態１と同様である。ＨＰブリック自動作成部１２はコアブリックの集合として作成される。
【０１２４】
次に、具体的なブリック作成手順について説明する。
図２０乃至図２８は、コンピュータの表示装置の操作画面の遷移状態を示している。
図２０（Ａ）はＧＰブリック，ＰＯブリックの細分化作業をする場合の作業環境指定ダイアログ６０１０の画面構成である。
作業環境指定画面６０１０は、中間データの格納先ディレクトリパスの指定欄６０１１と、ＧＰブリック，ＰＯブリックの自動細分化を行うかどうかを選択するチェックボックス６０１２と、処理を行う６０区分の指定欄６０１３と、処理実行用のＯＫボタン６０１４と、処理中止用のキャンセルボタン６０１５と、が設けられている。
【０１２５】
中間データは、図１に記載のデータ格納部１０１に対応し、区割り対象地域を開業医および薬局等の数が共に設定した範囲の下限値以上であり、開業医と薬局等の双方の施設又はどちらか一方の施設が最大の数の範囲であることを条件として区割りしたコアブリックのデータが格納されている。
チェックボックス６０１２については、「ＧＰブリック，ＰＯブリックの自動細分化を行う」にチェックをいれておく。
処理を行う６０区分の指定欄６０１３で、処理対象となる区分を指定し、ＯＫボタン６０１４を押す。
【０１２６】
ＯＫボタン６０１４が押されると、細分化可能なコアブリックについて、ＧＰブリック自動細分化処理部７００およびＰＯブリック自動細分化処理部８００によってＧＰブリック，ＰＯブリックの自動細分化処理がなされ、本実施例では町丁目レベルのポリゴンまで細分化される。
処理が終了すると、図２０（Ｂ）に示すように、ＧＰブリック，ＰＯブリックの細分化ブリック選択画面６０００が表示される。
【０１２７】
この細分化ブリック選択画面６０００には、処理対象地域の地図画面６１００  と、各コアブリックについての適合状況を表示する適合状況表示欄６２００と、各コアブリックについて開業医と薬局等の数において、さらに細分化可能か否かについての細分化適合状況表示欄６３００と、医療関連施設の種別毎の色分けと区分内の数を表示するショップデータ表示欄６４００と、結合，分割用のツール表示欄６５００が設けられている。
【０１２８】
地図画面６１００は、行政区分が表示された地図上に、コアブリックのエリアを重ねて表示したもので、各ブリックエリアの境界線が行政区画と区別できるように色を変えて太線で表示され、各エリアのコアブリックとしての適合状況、各コアブリックについて細分化可能か否かについて細分化適合状況が色分け等によってパターン分け表示されている。この実施の形態では、過分，開業医（ＧＰ）過分，薬局等（ＰＯ）についての過分、不足，ショップ無し，適合，不足（確定），過分(確定)、ＧＰについて細分化可能、ＯＰについて細分化可能、ＧＰブリック，ＰＯブリック共に細分化可能に分けられる。パターンについては適宜設定される。ここで、不足(確定)，過分(確定)というのは、適合条件を満たさない状態で結合を確定したエリアである。
ブリック適合状況表示欄３１２０には、これらのパターン分けについてのパターンサンプルと、数が示されている。
この実施の形態では、コアブリックの条件は、開業医（ＧＰ）と薬局等（ＰＯ）の数が共に設定した範囲の下限値以上であり、開業医と薬局等の双方の施設又はどちらか一方の施設が最大の数の範囲である。
細分化可能の場合は、ＧＰまたはＰＯの数が最小数の２倍以上の場合である。
【０１２９】
ショップデータ表示欄６４００には、地図画面６１００上の住所地に表示される医療関連施設の識別マークについて、たとえば、病院（ＨＰ）を赤、開業医（ＧＰ）を青、薬局等（ＰＯ）を緑と色別表示をし、処理対象地域全体の数を表示している。
編集用ツール表示欄６５００には、図６（Ｂ）に示したツールと同じ、条件設定ボタン６５０１、データ保存ボタン６５０２，結合解除ボタン６５０３，結合開始ボタン６５０４、結合確定ボタン６５０５、分割開始ボタン６５０６、分割線入力ボタン６５０７、分割確定ボタン６５０８、分割解除ボタン６５０９に加えて、ＧＰ作業ボタン６５１０、ＰＯ作業ボタン６５１１、クリッピングボタン６５１２が設けられている。
【０１３０】
次に、コアブリックの細分化操作について説明する。
図２１（Ａ）に示すように、画面を拡大して細分化可能のコアブリックＣ１を選択した状態を示している。この状態で選択されたコアブリックＣ１が強調表示される。
図２１（Ｂ）は、コアブリックＣ１を選択した状態でＧＰ作業ボタン６５１０およびクリッピングボタン６５１２を押した状態を示している。この状態で、作業対象のＧＰブリックＧ１が表示されたＧＰ細分化編集画面７０００が生成される。
【０１３１】
図２２（Ａ）は、ＰＯ作業ボタン６５１１およびクリッピングボタン６５１２を押した状態を示している。この状態では、作業対象のＰＯブリックＰ１が表示されたＰＯ細分化編集画面８０００が生成される。
クリッピングされたＧＰ細分化編集画面７０００あるいはＰＯ細分化編集画面８０００では、作業対象のブリックのみが表示され、ＧＰもしくはＰＯブリックの適合状況が色分けして表示される。また、結合解除ボタン６５０３、結合開始ボタン６５０４、分割開始ボタン６５０６、分割解除ボタン６５０９が有効化される。
図２２（Ｂ）はクリッピングボタン６５１２を解除した状態で、対象ブリックの周辺が表示される。
次に、実施の形態１のブリックデータの手動確定の場合と同様に、結合解除，結合，分割ツールを用いて、手動確定対象となるＧＰブリックＧ１，ＰＯブリックＰ１の細分化操作を行う。
【０１３２】
図２３（Ａ）は、結合解除ボタン６５０３を用いて細分化可能なＰＯブリックＰ１の結合状態を解除した状態である。自動分離されている場合には、結合解除は不要である。
この状態では、ブリックの基礎単位となる町丁目ポリゴンの細分化ブリック領域に分割され、各細分化ブリックｐｉについて、ＰＯブリックとしての適合状態が色分け表示される。
図２３（Ｂ）は、色分け表示を参考にして、施設数が不足の細分化ブリックｐ０を選択し、結合開始ボタン６５０４を押した状態を示しており、結合候補ｐ１，ｐ２が表示される。適合状態となるまで結合作業を繰り返し、結合確定ボタン６５０５を押して結合を確定する。
【０１３３】
図２４（Ａ）は、結合を確定した状態を示している。この状態で、さらに細分化可能のブリックＰ０１３が存在しており、分割作業によって細分化を行う。
図２４（Ｂ）は細分化可能なＰＯブリックＰＯ１３を選択して、分割開始ボタン６５０４を押し、分割線Ｌを入力した状態を示している。分割結果に問題無ければ、分割確定ボタン６５０７を押す。
【０１３４】
図２５（Ａ）は分割作業を確定し、ＰＯブリックＰＯ１３がＰＯ１３１とＰＯ１３２に分割された状態を示している。
図２５（Ｂ）は、上記一連の作業で一通りＰＯブリックＰＯ１の細分化確定が終了し、ＰＯ作業モードボタン６５１１を解除した状態を示しており、画面はコアブリックの細分化ブリック選択画面６０００に切り替わっている。このケースの場合、さらにＧＰブリックについても細分化の可能性があるため、図２５（Ｂ）に示すように、ＧＰブリックの細分化が可能であることが地図画面上に色分け表示される。
【０１３５】
図２６（Ａ）はＧＰブリックの作業ボタンおよびクリッピングボタンを押して、細分化ブリック選択画面６０００からＧＰブリック細分化画面７０００に切り替わった状態を示している。細分化されたＰＯ１１，ＰＯ１２，ＰＯ１３１，ＰＯ１３２の境界線が背景に表示されている。
図２６（Ｂ）は、自動分離あるいは結合解除ボタン６５０３を押してＧＰブリックＧ１の結合状態を解除した図である。
この場合、細分化されたＧＰブリックＧ１がＰＯブリックＰＯ１と、お互いに部分的に重ならないようにする必要があるので、ＧＰブリックは、このＰＯ１１，ＰＯ１２，ＰＯ１３１，ＰＯ１３２を単位として、結合，分割してＧＰブリックを細分化する必要がある。
【０１３６】
たとえば、５≦ＧＰ≦１５，５≦ＰＯ≦３０、コアブリックがＧＰ＝１５，ＰＯ＝３２で、ＰＯを３つのエリアに細分化して、ＰＯ１＝７，ＰＯ２＝１０，ＰＯ３＝１５としてＰＯブリックを確定したとすると、ＰＯ１，ＰＯ２，ＰＯ３に対応するエリアのＧＰについては、細分化できない。細分化すると、オーバーラップを招く。
【０１３７】
ＧＰとして細分化可能な状態で確定する場合、図２７（Ａ）に示すように、問い合わせダイアログ７０１０が表示され、「細分化可能ですが、確定してもよろしいですか？」と表示される。この場合、ＰＯブリックＰＯ１との関係により、ＧＰブリックＧ１を細分化して作成することができないので、ＯＫボタン７０１１を押して適合状態として認定する。
この状態で問題なければ、図２７（Ｂ）に示すように、ＧＰ作業ボタンを解除する。
そして、コアブリックとしての適合ステータスもＧＰブリックＧ１については細分化不要として、図２８に示すように、更新された状態に変遷する。以下、別の細分化可能なコアブリックをターゲットにして同様の作業を繰り返すことで、ＧＰブリック，ＰＯブリックの細分化作業を完了させる。
【０１３８】
図２９は、実施の形態２におけるシステム全体の処理の流れを概略的に示している。
処理の流れとしては、大きく分けて、コアブリックの自動作成を含む初期設定行程Ｓ１００と、コアブリックの手動確定処理行程Ｓ２００と、ＧＰブリックおよびＰＯブリックの細分化処理行程Ｓ３００と、ＨＰブリック作成処理行程Ｓ４００と、作成したデータの出力処理行程Ｓ５００とに分けられる。
【０１３９】
初期設定行程Ｓ１００では、開業医，薬局等，病院についての元データを地図データと関連付けた情報を中間データとしてデータ格納部１００のショップデータテーブル１０３に格納する（Ｓ１０１）。
元の地図データの町丁目データに開業医（ＧＰ），薬局等（ＰＯ），病院（ＨＰ）の数をカウントして、マスターテーブル１０４に格納する（Ｓ１０２）。すべてのブリックは、このマスターテーブル１０４に格納されているポリゴンを基礎単位として成立する。町丁目データは細分化可能である。マスターテーブル１０４はデータ格納部１０１に格納されている。
【０１４０】
次に、地図データの町丁目データを基礎単位として、所定の行政界レベルでコアブリックを自動作成する（Ｓ１０３）。
コアブリック手動確定処理行程（Ｓ２００）では、自動作成したコアブリックを手動で修正して確定し、確定したコアブリックのデータをコアブリックテーブル１０２１に格納する（Ｓ２０１）。
【０１４１】
ＧＰブリックおよびＰＯブリックの細分化処理行程（Ｓ３００）では、コアブリックテーブル１０２１に格納されたコアブリックを適宜細分化し、ＧＰブリックの自動分離とＧＰブリックの手動確定を行ってＧＰブリックテーブル１０２２に格納し、ＰＯブリックの自動分離とＰＯブリックの手動確定をし（Ｓ３０１，Ｓ３０２）、確定したＧＰブリックをデータ格納部１００のＰＯブリックテーブル１０２３に格納する。コアブリックテーブル１０２１，ＧＰブリックテーブル１０２２，ＰＯブリックテーブル１０２３は、データ格納部１０１のブリックデータ格納部１０２に設けられている。
【０１４２】
ＨＰブリック作成処理行程（Ｓ４００）では、コアブリックデータテーブル１０２１からコアブリックのデータを読み出してＨＰブリックを自動作成してＨＰブリックデータテーブル１０２４に格納し（Ｓ４０１、自動生成したＨＰブリックのデータを読み出して手動で確定し（Ｓ４０２）、ＨＰブリックデータテーブル１０２４に格納する。
ＨＰブリックデータテーブル１０２４は、ＨＰブリックを表すポリゴンとその中に含まれる施設数を格納したテーブルであり、データ格納部１０１のブリックデータ格納部１０２に設けられている。
データの出力処理行程（Ｓ５００）では、マスターテーブルの更新処理をし（Ｓ５０１）、ＨＰブリックの履歴データ、コアブリックの履歴データ、ＧＰブリックの履歴データ、ＰＯブリックの履歴データがデータ格納部１００に設けられた各履歴テーブル１０５１，１０５２，１０５３，１０５４に格納される。
【０１４３】
更新処理は、コアブリックデータテーブル１０２１、ＧＰブリックデータテーブル１０２２、ＰＯブリックデータテーブル１０２３、ＨＰブリックデータテーブル１０２４の各テーブルに格納されているデータに基づいて、ブリックマスタテーブル１０４のデータを更新し、更新時にＨＰブリックの履歴データ、コアブリックの履歴データ、ＧＰブリックの履歴データ、ＰＯブリックの履歴データを各履歴データテーブル１０５１，１０５２，１０５３，１０５４に格納する。
【０１４４】
図３０は、ＧＰブリックおよびＰＯブリックの細分化処理行程の処理手順を示すフローチャートである。
処理をスタートすると、表示装置８０の画面上に作業環境指定ダイアログ６０１０が表示される（Ｓ５１，図２０（Ａ）参照）。
作業環境設定ダイアログ６０１に基づいて作業環境の設定を行う（Ｓ５２）。
【０１４５】
この作業環境の設定は、図２２（Ａ）に示したように、中間データの格納先ディレクトリパスの指定欄６０１０と、ＧＰブリック，ＰＯブリックの自動細分化選択のチェックと、処理を行う６０区分の指定を行ってＯＫボタンを押す。
ＧＰブリック，ＰＯブリックの自動細分化処理のチェックが入っている場合には、ＧＰブリック自動細分化部７００またはＰＯブリック自動細分化部８００によって自動的に細分化処理がなされる（Ｓ５３）。
作業環境の設定が終了すると、細分化ブリック選択画面作成部６００によって細分化ブリック選択画面が作成され、図２２（Ｂ）に示したように、表示装置８０の画面に細分化ブリック選択画面６１００が表示される（Ｓ５４）。
細分化ブリック選択画面６１００の地図上には、コアブリックが表示されると共に、コアブリックについての適合状態が色分けして表示される。色を参照してコアブリックの細分化候補を選択する。
【０１４６】
オペレータが細分化対象のコアブリックを指定し（Ｓ５５）、ＧＰかＰＯの作業モードボタンを押すと（Ｓ５６）、ＧＰ細分化編集画面作成部７１１あるいはＰＯ細分化編集画面作成部８１１によってＧＰ細分化編集画面７０００あるいはＰＯ細分化編集画面８０００が作成されて表示装置８０に表示される（図２１（Ｂ），図２２（Ａ）参照）。細分化対象のＧＰブリックあるいはＰＯブリックは町丁目ポリゴンに細分化されて表示され（図２３（Ａ）参照）、各細分化エリアについて、適合状況を色分けして表示する（Ｓ５７）。
オペレータが対象とする細分化エリアのポリゴンを選択し（Ｓ５８）、結合処理、分割処理あるいは結合解除を行い（Ｓ５９）、ブリック判定部３０によってコアブリックの範囲で他方のブリック領域とオーバークロスしないか検査する（Ｓ６０）。
オーバークロスしていない場合には、データ格納部１００の各テーブルに格納されたＧＰブリック，ＰＯブリックの適合状況を更新し（Ｓ６１）、ＧＰブリック，ＰＯブリックの細分化データＧＰブリック，ＰＯブリックの各テーブルに格納する（Ｓ６２）。
細分化処理が終了すると、オペレータはＧＰブリック，ＰＯブリックの作業モードボタンを解除し（Ｓ６３）、他方のブリックの細分化状況を確認する（Ｓ６４）。
【図面の簡単な説明】
【０１４７】
【図１】図１は本発明の実施の形態１に係るブリック作成支援装置の概略構成図である。
【図２】図２（Ａ）乃至（Ｅ）は本発明のブリック作成支援方法によるＧＰブリック，ＰＯブリックの結合処理を行う作業手順を概念的に示す図である。
【図３】図３（Ａ）乃至（Ｃ）は本発明のブリック作成支援方法によるＧＰブリック，ＰＯブリックの分割処理を行う作業手順を概念的に示す図である。
【図４】図４は本発明のブリック作成支援方法によるＧＰブリック，ＰＯブリックの結合，分割処理の作業手順を概念的に示すフローチャートである。
【図５】図５（Ａ）乃至（Ｄ）は本発明のブリック作成支援装置によるＧＰブリック，ＰＯブリックの自動作成用画面の遷移状態を示す図である。
【図６】図６（Ａ）は本発明のブリック作成支援装置によるＧＰブリック，ＰＯブリックの手動確定のための初期設定画面を示す図、図６（Ｂ）はＧＰブリック，ＰＯブリックの手動確定のための編集画面を示す図である。
【図７】図７はＧＰブリック，ＰＯブリックの結合作業を行う編集画面の遷移状態を示す図である。
【図８】図８は図７の遷移状態に続く遷移状態を示す図である。
【図９】図９は結合したＧＰブリック，ＰＯブリックの結合を解除する画面の遷移状態を示す図である。
【図１０】図１０は図７，図８に示した結合作業手順を示すフローチャート例である。
【図１１】図１１はＧＰブリック，ＰＯブリックの分割作業を行う際の編集画面の遷移状態を示す図である。
【図１２】図１２は図１１の分割したブリックの分割解除作業を行う際の編集画面の遷移状態を示す図である。
【図１３】図１３（Ａ）はＨＰブリックの自動作成を行う操作画面を示す図、図１３（Ｂ）はＨＰブリックの結合作業を行う編集画面を示す図である。
【図１４】図１４はＨＰブリックの結合を解除する編集画面を示す図である。
【図１５】図１５はブリック情報を出力する際の操作画面を示す図である。
【図１６】図１６は作業途中のブリック情報のデータ出力項目を示す図である。
【図１７】図１７は作業完了のブリック情報のデータ出力項目を示す図である。
【図１８】図１８は医療関連施設の数が変動した場合の更新対象ブリック情報のデータ出力項目を示す図である。
【図１９】図１９は本発明の実施の形態２に係るブリック作成支援装置の概略構成図である。
【図２０】図２０（Ａ）は細分化の初期設定ダイアログを示す図、同図（Ｂ）は細分化ブリック選択画面を示す図である。
【図２１】図２１（Ａ）は細分化可能なコアブリックを示す図、同図（Ｂ）はＧＰブリックの細分化編集画面を示す図である。
【図２２】図２２（Ａ）はＰＯブリックの細分化編集画面を示す図、同図（Ｂ）は同図（Ａ）のクリッピングを解除した状態の図である。
【図２３】図２３（Ａ）はＰＯブリックの細分化編集画面の結合解除状態を示す図、同図（Ｂ）は同図（Ａ）の結合処理途中の図である。
【図２４】図２４（Ａ）は過分状態の細分化ブリックの分割開始時点の図、同図（Ｂ）は分割ライン入力状態の図である。
【図２５】図２５（Ａ）はＰＯブリックの分割確定状態を示す図、同図（Ｂ）はＰＯ作業モードを解除した細分化ブリック選択画面に戻った図である。
【図２６】図２６（Ａ）はＧＰブリックの細分化編集画面を示す図、同図（Ｂ）は同図（Ａ）のＧＰブリックの結合を解除した状態を示す図である。
【図２７】図２７（Ａ）は結合可能状態で細分化しないで確定する場合の細分化編集画面を示す図、同図（Ｂ）は細分化しないで確定した状態を示す図である。
【図２８】図２８はＧＰ作動ボタンを解除し細分化ブリック選択画面に戻った状態を示す図である。
【図２９】図２９は本発明の実施の形態２に係るブリック作成処理手順を概略的に示す図である。
【図３０】図３０は図２９のＧＰブリック，ＰＯブリックの細分化処理行程のフローチャートである。
【符号の説明】
【０１４８】
１  ブリック作成支援装置
１００  データ格納部
１０１  行政界データ格納部
１０２  ブリックデータ格納部
１０３  医療関連施設データ格納部
１０  ブリック自動作成部
１１  ＧＰブリック，ＰＯブリック作成部
１２  ＨＰブリック作成部
２０  適合条件設定部
３０  ブリック判定部
４０  手動確定支援部
４１０  ＧＰブリック，ＰＯブリック手動確定支援部
４１１  ブリック編集画面作成部
４１２  ブリック結合部
４１３  ブリック分割部
４２０  ＨＰブリック手動確定支援部
４２１  ブリック編集画面作成部
４２２  ブリック結合部
５０  ブリック情報出力部
６０  判定ルール確認部
７０  入力装置
８０  表示装置
３００  地図データベース
１０００  ブリック編集画面
１００１  編集用地図画像
１００２  鉄道
１００２の１  道路
１００３  水系
１００４  適合状況表示欄
１００５  矢印
１００６  判定結果の表示欄
２０００  ＧＰブリック，ＰＯブリック自動作成画面
２０１０  各種データパスの指定欄
２０１１  ショップポイントテーブルの指定欄
２０１２  町丁目行政界地図データパッケージの指定欄
２０１３  中間データの出力先ディレクトリの指定欄
２０２１，２０２２  チェックボックス
２０３０  適合条件表示欄
２０３１  設定変更ボタン
２０３２  適合条件設定ダイアログ
２０３３  病院（ＨＰ）適合範囲設定欄
２０３４  開業医（ＧＰ）の適合範囲設定欄
２０３５  薬局等（ＰＯ）の適合範囲設定欄
２０３６  ＯＫボタン
２０３７  キャンセルボタン
２０４０  処理を行う６０区分の指定欄
２０５０  ＯＫボタン、２０６０  キャンセルボタン
３０００  手動確定用初期画面
３０１０  中間データの格納ディレクトリパスの指定欄
３０２０  処理対象区分指定欄
３０３０  ＯＫボタン
３０４０  キャンセルボタン
３１００  ブリック編集画面
３１１０  地図画面
３１２０  適合状況表示欄
３１３０  ショップデータ表示欄
３１４０  ツール表示欄
３１４１  条件設定ボタン
３１４２  データ保存ボタン
３１４３  結合解除ボタン
３１４４  結合開始ボタン
３１４５  結合確定ボタン
３１４６  分割開始ボタン
３１４７  分割線入力ボタン
３１４８  分割確定ボタン
３１４９  分割解除ボタン
４０００  ＨＰブリック自動作成画面
４０１０  格納ディレクトリパスの指定欄
４０２０  チェックボックス
４０３０  処理を行う６０区分の指定欄
４０４０  ＯＫボタン、４０５０  キャンセルボタン
４１１０  地図画面
４１２０  適合状況表示欄
４１３０  ショップデータ表示欄
４１４０  ツール表示欄
４１４１  条件設定ボタン
４１４２  データ保存ボタン
４１４３  結合解除ボタン
４１４４  結合開始ボタン
４１４５  結合確定ボタン
４１０  コアブリック手動確定部
６００  細分化ブリック選択画面作成部
７００  ＧＰブリック自動細分化部
７１０  ＧＰブリック手動確定部
７１２  ブリック結合部
７１３  ブリック分割部
８００  ＰＯブリック自動細分化部
８１０  ＰＯブリック手動確定部
８１２  ブリック結合部
８１３  ブリック分割部
６０００  細分化ブリック選択画面
６１００  処理対象地域の地図画面
６２００  適合状況表示欄
６３００  細分化適合状況表示欄
６４００  ショップデータ表示欄
６５００  結合，分割用のツール表示欄
６５０３  結合解除ボタン、
６５１０  ＧＰ作業ボタン
６５１１  ＰＯ作業ボタン
６５１２  クリッピングボタン
７０００  ＧＰ細分化編集画面
８０００  ＰＯ細分化編集画面
ＨＰ  病院，ＧＰ  開業医，ＰＯ  薬局等(薬局，その他を扱う施設を含む)
【図１】
2006091199.tif 000003
【図２】
2006091199.tif 000004
【図３】
2006091199.tif 000005
【図４】
2006091199.tif 000006
【図５】
2006091199.tif 000007
【図６】
2006091199.tif 000008
【図７】
2006091199.tif 000009
【図８】
2006091199.tif 000010
【図９】
2006091199.tif 000011
【図１０】
2006091199.tif 000012
【図１１】
2006091199.tif 000013
【図１２】
2006091199.tif 000014
【図１３】
2006091199.tif 000015
【図１４】
2006091199.tif 000016
【図１５】
2006091199.tif 000017
【図１６】
2006091199.tif 000018
【図１７】
2006091199.tif 000019
【図１８】
2006091199.tif 000020
【図１９】
2006091199.tif 000021
【図２０】
2006091199.tif 000022
【図２１】
2006091199.tif 000023
【図２２】
2006091199.tif 000024
【図２３】
2006091199.tif 000025
【図２４】
2006091199.tif 000026
【図２５】
2006091199.tif 000027
【図２６】
2006091199.tif 000028
【図２７】
2006091199.tif 000029
【図２８】
2006091199.tif 000030
【図２９】
2006091199.tif 000031
【図３０】
2006091199.tif 000032